(57)【要約】【課題】隣接する屋根体を連結する連結構造を、簡易な構成で実現でき、かつ、簡単に施工できる屋根体の連結構造及びその施工方法を提供すること。【解決手段】所定方向に並んで連設される複数の長尺材６１を有する屋根体６が複数隣接して配置され、隣接する屋根体６を複数の長尺材６１の長手方向に連結する連結部３００を備える屋根体６の連結構造であって、連結部３００は、長尺材６１の長手方向に交差する交差方向Ｄ１に延びて形成されており、隣接する屋根体６の上部に配置される一対の上部フランジ部３１２を含んで構成される上部構成部３１０と、隣接する屋根体６の下部に配置される一対の下部フランジ部３２２を含んで構成される下部構成部３２０と、を有して構成され側方に開放する凹状の飲み込み部３００ａを備え、上部フランジ部３１２及び下部フランジ部３２２は、隣接する屋根体６の端部を上下から挟み込む。【選択図】図１９
2019007208.tif 000002
【特許請求の範囲】
【請求項１】
所定方向に並んで連設される複数の長尺材を有する屋根体が複数隣接して配置され、前記隣接する屋根体を前記複数の長尺材の長手方向に連結する連結部を備える屋根体の連結構造であって、
前記連結部は、前記長尺材の長手方向に交差する交差方向に延びて形成されており、前記隣接する屋根体の上部に配置される一対の上部フランジ部を含んで構成される上部構成部と、前記隣接する屋根体の下部に配置される一対の下部フランジ部を含んで構成される下部構成部と、を有して構成され側方に開放する凹状の飲み込み部を備え、
前記上部フランジ部及び前記下部フランジ部は、前記隣接する屋根体の端部を上下から挟み込む屋根体の連結構造。
【請求項２】
前記上部構成部と前記下部構成部とは、別体で構成されると共に、上下方向に連結される請求項１に記載の屋根体の連結構造。
【請求項３】
前記上部構成部は、下方側に形成される第１引っ掛け部を有し、
前記下部構成部は、上方側に形成され前記第１引っ掛け部に引っ掛けることが可能な第２引っ掛け部を有する請求項２に記載の屋根体の連結構造。
【請求項４】
前記上部構成部及び前記下部構成部が連結した状態で、前記下部構成部を下方から覆うように前記下部構成部に嵌合により取り付けられる下部カバー部材と、
前記交差方向の端部において前記下部カバー部材を前記上部構成部又は前記下部構成部に連結する落下防止部材と、を備える請求項２又は３に記載の屋根体の連結構造。
【請求項５】
請求項１から４のいずれかに記載の屋根体の連結構造の施工方法であって、
隣接する屋根体のうちの一方の屋根体が設置された状態で、一方の前記上部フランジ部を前記一方の屋根体の上部に配置する連結部配置工程と、
前記連結部配置工程の後の工程であって、一方の前記上部フランジ部の上方から第１ネジ部材を移動させて、前記第１ネジ部材により一方の前記上部フランジ部を前記一方の屋根体に固定することで、前記上部構成部を前記一方の屋根体に固定する上部構成部第１固定工程と、
前記上部構成部第１固定工程の後の工程であって、隣接する屋根体のうちの他方の屋根体における複数の長尺材を他方の前記上部フランジ部の下部に配置する長尺材配置工程と、
他方の前記上部フランジ部の上方から第２ネジ部材を移動させて、前記第２ネジ部材により前記長尺材配置工程で配置した長尺材を前記上部フランジ部に固定することで、前記上部構成部に前記他方の屋根体を固定する上部構成部第２固定工程と、を備える屋根体の連結構造の施工方法。
【請求項６】
請求項５に記載の屋根体の連結構造の施工方法であって、
前記上部構成部第２固定工程の後の工程であって、前記上部構成部の下方に前記下部構成部を配置して、前記下部構成部を第３ネジ部材により前記上部構成部に固定する下部構成部固定工程と、を備える屋根体の連結構造の施工方法。
【請求項７】
請求項６に記載の屋根体の連結構造の施工方法であって、
前記下部構成部固定工程の前の工程であって、前記上部構成部の下方側に形成される第１引っ掛け部に、前記下部構成部の上方側に形成される第２引っ掛け部を引っ掛けて仮置きする仮置き工程を更に備える屋根体の連結構造の施工方法。
【請求項８】
請求項５に記載の屋根体の連結構造の施工方法であって、
前記連結部配置工程の前の工程であって、前記上部構成部及び前記下部構成部を一体化させるように、前記上部構成部及び前記下部構成部を第４ネジ部材により仮固定する仮固定工程と、
前記連結部配置工程の後の工程であって、仮固定された前記上部構成部及び前記下部構成部を前記第４ネジ部材のネジ込み量を調整することで本固定する本固定工程と、を備える屋根体の連結構造の施工方法。
【発明の詳細な説明】
【技術分野】
【０００１】
本発明は、隣接する屋根体の連結構造及びその施工方法に関する。
【背景技術】
【０００２】
従来、隣接するカーポートなどの屋根体を連結する連結構造が知られている（例えば、特許文献１参照）。特許文献１に記載の隣接する屋根体の連結構造は、屋根体の一部を構成する前桁及び垂木掛などを備える。屋根体を連結する場合に、隣接する前桁同士や垂木掛同士を、連結部材により接続することがある。
【先行技術文献】
【特許文献】
【０００３】
【特許文献１】特開平６−１０４３７号公報
【発明の概要】
【発明が解決しようとする課題】
【０００４】
隣接する前桁同士や隣接する垂木掛同士を連結部材で連結して屋根体を連結する場合には、連結する長尺材（前桁や垂木掛）の数だけ連結部材が必要となる。そのため、連結部材の部品数が多くなりがちであり、連結部材を固定する作業が煩雑となる。よって、屋根体を連結する連結構造を、簡易な構成で実現でき、かつ、簡単に施工できることが望まれる。
【０００５】
本発明は、隣接する屋根体を連結する連結構造を、簡易な構成で実現でき、かつ、簡単に施工できる屋根体の連結構造及びその施工方法を提供することを目的とする。
【課題を解決するための手段】
【０００６】
本発明は、所定方向に並んで連設される複数の長尺材（例えば、後述の長尺形材６１）を有する屋根体（例えば、後述の）が複数隣接して配置され、前記隣接する屋根体を前記複数の長尺材の長手方向に連結する連結部（例えば、後述の連結部３００）を備える屋根体の連結構造であって、前記連結部は、前記長尺材の長手方向に交差する交差方向（例えば、後述の連結長手方向Ｄ１）に延びて形成されており、前記隣接する屋根体の上部に配置される一対の上部フランジ部（例えば、後述の上部フランジ部３１２）を含んで構成される上部構成部（例えば、後述の上部構成部３１０）と、前記隣接する屋根体の下部に配置される一対の下部フランジ部（例えば、後述の下部フランジ部３２２）を含んで構成される下部構成部（例えば、後述の下部構成部３２０）と、を有して構成され側方に開放する凹状の飲み込み部（例えば、後述の飲み込み部３００ａ）を備え、前記上部フランジ部及び前記下部フランジ部は、前記隣接する屋根体の端部を上下から挟み込む屋根体の連結構造に関する。
【０００７】
また、前記上部構成部と前記下部構成部とは、別体で構成されると共に、上下方向に連結されることが好ましい。
【０００８】
また、前記上部構成部は、下方側に形成される第１引っ掛け部（例えば、後述の上部側引っ掛け部３１３）を有し、前記下部構成部は、上方側に形成され前記第１引っ掛け部に引っ掛けることが可能な第２引っ掛け部（例えば、後述の下部側引っ掛け部３２３）を有することが好ましい。
【０００９】
また、前記上部構成部及び前記下部構成部が連結した状態で、前記下部構成部を下方から覆うように前記下部構成部に嵌合により取り付けられる下部カバー部材（例えば、後述下部カバー部材３３０）と、前記交差方向の端部において前記下部カバー部材を前記上部構成部又は前記下部構成部に連結する落下防止部材（例えば、後述の落下防止部材３４０）と、を備えることが好ましい。
【００１０】
また、本発明は、前記屋根体の連結構造の施工方法であって、隣接する屋根体のうちの一方の屋根体が設置された状態で、一方の前記上部フランジ部を前記一方の屋根体の上部に配置する連結部配置工程と、前記連結部配置工程の後の工程であって、一方の前記上部フランジ部の上方から第１ネジ部材（例えば、後述のネジ部材３０１）を移動させて、前記第１ネジ部材により一方の前記上部フランジ部を前記一方の屋根体に固定することで、前記上部構成部を前記一方の屋根体に固定する上部構成部第１固定工程と、前記上部構成部第１固定工程の後の工程であって、隣接する屋根体のうちの他方の屋根体における複数の長尺材を他方の前記上部フランジ部の下部に配置する長尺材配置工程と、他方の前記上部フランジ部の上方から第２ネジ部材（例えば、後述のネジ部材３０２）を移動させて、前記第２ネジ部材により前記長尺材配置工程で配置した長尺材を前記上部フランジ部に固定することで、前記上部構成部に前記他方の屋根体を固定する上部構成部第２固定工程と、を備える屋根体の連結構造の施工方法に関する。
【００１１】
また、前記屋根体の連結構造の施工方法であって、前記上部構成部第２固定工程の後の工程であって、前記上部構成部の下方に前記下部構成部を配置して、前記下部構成部を第３ネジ部材（例えば、後述のネジ部材３０３）により前記上部構成部に固定する下部構成部固定工程と、を備えることが好ましい。
【００１２】
また、前記屋根体の連結構造の施工方法であって、前記下部構成部固定工程の前の工程であって、前記上部構成部の下方側に形成される第１引っ掛け部に、前記下部構成部の上方側に形成される第２引っ掛け部を引っ掛けて仮置きする仮置き工程を更に備えることが好ましい。
【００１３】
また、前記屋根体の連結構造の施工方法であって、前記連結部配置工程の前の工程であって、前記上部構成部及び前記下部構成部を一体化させるように、前記上部構成部及び前記下部構成部を第４ネジ部材により仮固定する仮固定工程と、前記連結部配置工程の後の工程であって、仮固定された前記上部構成部及び前記下部構成部を前記第４ネジ部材のネジ込み量を調整することで本固定する本固定工程と、を備えることが好ましい。
【発明の効果】
【００１４】
本発明によれば、隣接する屋根体を連結する連結構造を、簡易な構成で実現でき、かつ、簡単に施工できる屋根体の連結構造及びその施工方法を提供することができる。
【図面の簡単な説明】
【００１５】
【図１】本発明の屋根体の連結構造を示す斜視図である。
【図２】本発明の屋根体の連結構造においてカーポートを上方側から見た斜視図である。
【図３】本発明の屋根体の連結構造においてカーポートを下方側から見た斜視図である。
【図４】屋根体の基端側の構造を示す要部拡大斜視図である。
【図５】図１におけるＡ−Ａ線断面図である。
【図６】屋根体を構成する樋構成形材の梁への接続構造を示す断面図である。
【図７】屋根体を構成する中間形材の梁への接続構造を示す断面図である。
【図８】図４におけるＣ−Ｃ線断面図である。
【図９】図１におけるＢ−Ｂ線断面図である。
【図１０】図１における屋根体の先端側に配置される先端側形材の長手方向の端部の接続構造を示す斜視図である。
【図１１】長尺形材の長手方向の端部の接続構造及び止水構造を示す斜視図である。
【図１２】長尺形材の長手方向の端部の接続構造及び止水構造を示す側面図である。
【図１３】支柱、梁、連結部材、支柱カバー部材及び誘導部材を分解して示した分解斜視図である。
【図１４】梁の基端側から順に複数の長尺形材を取り付ける状態を示す斜視図である。
【図１５】屋根体を構成する樋構成形材を、梁に取り付ける状態を示す断面図である。
【図１６】屋根体を構成する中間形材を、梁に取り付ける状態を示す断面図である。
【図１７】本発明に係る屋根体の連結構造を屋根体における先端側から見た斜視図である。
【図１８】図１７に示す屋根体の連結構造において連結端部カバー部材を取り外した状態を示す斜視図である。
【図１９】図１８に示す屋根体の連結構造において、連結端部カバー部材を取り外した状態から、落下防止部材を取り外した状態を示す斜視図である。
【図２０】本発明に係る屋根体の連結構造を屋根体における支柱側から見た斜視図である。
【図２１】図２０に示す屋根体の連結構造において、連結端部カバー部材を取り外した状態から、落下防止部材を取り外した状態を示す斜視図である。
【図２２】屋根体の連結構造を示す断面図である。
【図２３】屋根体の連結構造において、長尺形材同士の接続部分の長手方向の端部の止水構造を示す斜視図である。
【図２４】屋根体の連結構造の施工手順を示す図であって、一方の屋根体に上部構成部を取り付ける手順を示す斜視図である。
【図２５】屋根体の連結構造の施工手順を示す図であって、一方の屋根体に上部構成部を取り付けた状態において、他方の屋根体の長尺形材を取り付ける手順を示す斜視図である。
【図２６】屋根体の連結構造の施工手順を示す図であって、上部構成部の下方に下部構成部を取り付け、その後、下部構成部の下方に下部カバー部材を取り付ける手順を示す斜視図である。
【図２７】屋根体の連結構造の施工手順を示す図であって、上部構成部及び下部構成部の連結長手方向の端部に落下防止部材を取り付け、その後、連結端部カバー部材を取り付ける手順を示す斜視図である。
【発明を実施するための形態】
【００１６】
以下、本発明のカーポート１の屋根体６の連結構造の一実施形態について、図面を参照しながら説明する。カーポート１の屋根体６の連結構造は、２つのカーポート１Ａ，１Ｂを、屋根体６を構成する長尺形材６１が延びる長手方向に並べて連続して配置した場合の連結構造である。本実施形態においては、屋根体を有する屋根構造体をカーポート１に適用した例について説明する。なお、本実施形態においては、屋根構造体をカーポート１に適用した例について説明するが、これに限定されない。例えば、屋根構造体を、カーポート以外の構造物、例えば、駐輪場、シェルター、休憩所、テラス、バス停などの構造物に適用してもよい。
【００１７】
図１は、本発明の屋根体の連結構造を示す斜視図である。図２は、本発明の屋根体の連結構造においてカーポートを上方側から見た斜視図である。図３は、本発明の屋根体の連結構造においてカーポートを下方側から見た斜視図である。図４は、屋根体の基端側の構造を示す要部拡大斜視図である。図５は、図１におけるＡ−Ａ線断面図である。図６は、屋根体を構成する樋構成形材の梁への接続構造を示す断面図である。図７は、屋根体を構成する中間形材の梁への接続構造を示す断面図である。図８は、図４におけるＣ−Ｃ線断面図である。図９は、図１におけるＢ−Ｂ線断面図である。図１０は、図１における屋根体の先端側に配置される先端側形材の長手方向の端部の接続構造を示す斜視図である。図１１は、長尺形材６１の長手方向の端部の接続構造及び止水構造を示す斜視図である。図１２は、長尺形材の長手方向の端部の接続構造及び止水構造を示す側面図である。図１３は、支柱、梁、連結部材、支柱カバー部材及び誘導部材を分解して示した分解斜視図である。図１４は、梁の基端側から順に複数の長尺形材を取り付ける状態を示す斜視図である。図１５は、屋根体を構成する樋構成形材を、梁に取り付ける状態を示す断面図である。図１６は、屋根体を構成する中間形材を、梁に取り付ける状態を示す断面図である。
【００１８】
図１に示すように、本実施形態に係るカーポート１の屋根体６の連結構造は、隣接する２つのカーポート１Ａ，１Ｂを、長尺形材６１が延びる長手方向に並べて配置した場合の連結構造である。２つのカーポート１Ａ，１Ｂは、連結構造の連結部３００を介して、屋根体６を構成する複数の長尺形材６１が延びる方向に並んで連結されている。屋根体６の連結構造の連結部３００において、連結部３００の上部を構成する上部構成部３１０は、後述する屋根体６を構成する複数の長尺形材６１が延びる方向に交差する方向に延びて形成される。なお、本実施形態においては、上部構成部３１０が延びる方向（長尺形材６１が延びる方向に交差する方向）を「連結長手方向Ｄ１」ともいう。また、連結長手方向Ｄ１に直交する上部構成部３１０の幅方向を「連結幅方向Ｄ２」ともいう。屋根体６の連結構造の構成の詳細については後述する。
【００１９】
本実施形態のカーポート１単体の全体構造について説明する。本実施形態の説明において、２つのカーポート１Ａ，１Ｂの区別が特に必要ない場合には、「カーポート１」と記載する。なお、本実施形態の説明においては、カーポート１の屋根体６を構成する複数の長尺形材（長尺材）６１が延びる方向を前後方向（長尺形材６１の長手方向）ともいい、図１〜図３において、カーポート１の手前側を手前側ともいい、カーポート１の奥側を奥側ともいう。また、長尺形材（長尺材）６１が延びる前後方向に直交する方向を左右方向（長尺形材６１の長手方向に交差する交差方向）ともいう。また、左右方向において、手前側から見た場合に支柱２側を、カーポート１の右側ともいい、手前側から見た場合に支柱２と反対側を、カーポート１の左側ともいう。また、梁４が延びる方向において、支柱２側を、カーポート１の基端側ともいい、支柱２と反対側を、カーポート１の先端側ともいう。
【００２０】
本実施形態のカーポート１は、図２及び図３に示すように、屋根体６を左右方向の基端側（図２及び図３における右側）において一対の支柱２で支持する、いわゆる、片持ち構造のカーポートである。また、本実施形態のカーポート１は、支柱２に接続された梁４の下部（下方）に、屋根体６が吊られて接続される吊構造で構成される。
【００２１】
図２〜図５に示すように、本実施形態のカーポート１は、地面１１に立設される一対の支柱２（柱材）と、一対の支柱２の側面に取り付けられる支柱カバー部材３（カバー部材）と、支柱２の上端部から支柱に交差する方向に延びる梁４と、支柱２と梁４とを接続するＬ字状の連結部材５と、梁４の下部に接続される屋根体６と、屋根体６の上面を流れた水を支柱２側へ誘導するＬ字状の誘導部材７（図４参照）と、屋根体側部カバー部材８（カバー部）と、屋根体先端カバー部材６５と、を備える。支柱２及び梁４は、アルミ材料の押出し形材で形成され、断面が中空状の中空部を有するホロー構造を有する。
【００２２】
一対の支柱２は、図２に示すように、カーポート１の左右方向の一方側（図２における右側）において、カーポート１の前後方向に離間して配置される。
支柱２は、上下方向に延びて形成され、図８に示すように、横断面が角筒状に形成される中空状の支柱側ホロー部２１と、支柱側ホロー部２１の屋根体６側の側面から屋根体６側に突出すると共に上下方向に延びる一対のカバー取付壁２２と、を有する。一対のカバー取付壁２２には、支柱カバー部材３が取り付けられる。支柱２の上端部には、支柱２の上端部の開口を覆うように、支柱キャップ２０１が配置される。
【００２３】
図２に示すように、一対の支柱２における前後方向の一方側（図２における手前側）の支柱２には、地面１１付近の下端部に、下端開口部２３が形成される。下端開口部２３は、屋根体６側の側面が開放すると共に屋根体６側から支柱２の内部側に窪むように切り欠かれている。下端開口部２３には、排水受け蓋部材２４が配置される。排水受け蓋部材２４には、前後方向の手前側の外方に向けて開放する排出開口２４ａが設けられている。排出開口２４ａは、支柱２と支柱カバー部材３とにより構成される支柱側樋構成部２０（後述）を流れる水を手前側の外部へ排出する。
【００２４】
支柱カバー部材３は、図５に示すように、支柱２における一対のカバー取付壁２２に取り付けられる。支柱カバー部材３は、上下方向に延びる１枚のカバー部材により構成される。支柱カバー部材３は、支柱２における屋根体６側の一側面、及び後述する支柱２と連結部材５とを固定するネジ部材１０２を覆うように、一対のカバー取付壁２２（図８参照）に取り付けられる。つまり、支柱カバー部材３は、分断されずに１枚のカバー部材により構成され、支柱２の一側面のみにおいて、連結部材５の一側面のみを固定する４つのネジ部材１０２を覆うように配置される。支柱２と支柱カバー部材３との間には屋根体６の上面６ａを流れる水が流入して水が流れるため、支柱２及び支柱カバー部材３は支柱側樋構成部２０（柱材側樋構造）として構成される。本実施形態においては、支柱２と支柱カバー部材３との間に雨樋用のホースなどが配置されずに、支柱２及び支柱カバー部材３だけで、縦樋を構成する。
【００２５】
支柱２と支柱カバー部材３との間（支柱側樋構成部２０）には、屋根体６の屋根体側樋構成部６０（後述）から排出された水が流される。支柱側樋構成部２０は、支柱２の屋根体６側の側面が支柱カバー部材３に覆われるため、カーポート１の外部からは視認されない。そのため、支柱２が樋の機能を備えることが外部からは視認されず、意匠性を向上できる。
【００２６】
一対の梁４は、図２に示すように、カーポート１の前後方向に離間して配置される。一対の梁４は、それぞれ、左右方向に延びると共に、支柱２側に下る下り傾斜で形成される。一対の梁４の基端側の端部（右側の端部）は、Ｌ字状の連結部材５を介して、支柱２の上端部に接続される。一対の梁４の下部には、屋根体６が接続される。
【００２７】
一対の梁４は、図２及び図５に示すように、それぞれ、断面が角筒状に形成される梁側ホロー部４１と、延出板部４２と、端部キャップ４３と、を有する。
【００２８】
梁側ホロー部４１の先端４１ａは、先端側の上端部が傾斜して切り欠かれるように、先端側から基端側（支柱２側）に向かうにしたがって上る上り傾斜で形成される。そのため、梁４の先端４１ａは、梁４の下部に屋根体６が接続された状態において、屋根体６の先端側の下方の地面１１側からは視認しにくい形状である。よって、屋根体６の先端側の下方の地面１１側からは梁４を視認しにくいため、意匠性を向上できる。
【００２９】
延出板部４２は、梁側ホロー部４１の下端部から、屋根体６における前後方向の中央側（一対の梁４のうち、当該梁４とは別の梁４側）に向けて延出すると共に、左右方向に延びる板状に形成される。
【００３０】
延出板部４２には、図６及び図７に示すように、梁４に屋根体６を固定するために用いられるネジ部材１０１が挿入されるネジ孔４２１が左右方向に並んで複数形成されている。複数のネジ孔４２１は、支柱２側の基端側から梁４の先端側に向かって、第１樋形材取り付けネジ孔４２１ａ、フック部取り付けネジ孔４２１ｂ、第２樋形材取り付けネジ孔４２１ｃが形成され、続けて、複数の片側取り付けネジ孔４２１ｄが並んで形成されている。
【００３１】
第１樋形材取り付けネジ孔４２１ａは、図６に示すように、長尺形材６１における樋構成形材６２（後述）の基端側の部分と梁４の延出板部４２とをネジ部材１０５で固定するために設けられる。
第２樋形材取り付けネジ孔４２１ｃは、長尺形材６１における樋構成形材６２（後述）の先端側の部分と梁４の延出板部４２とをネジ部材１０１で固定するために設けられる。
フック部取り付けネジ孔４２１ｂには、長尺形材６１における樋構成形材６２（後述）を梁４に取り付ける際に、長尺形材６１の樋構成形材６２を引っ掛けて仮置きするためのフック部１１０（図６参照）をネジ部材１０６で固定するために設けられる。
片側取り付けネジ孔４２１ｄは、図７に示すように、長尺形材６１の中間形材６３を梁４に取り付ける際に、中間形材６３の先端側の部分と梁４の延出板部４２とをネジ部材１０１で固定するために設けられる。
【００３２】
連結部材５は、図５に示すように、カーポート１を前後方向に見た場合に、全体としてＬ字状に形成され、断面が筒状に形成される。連結部材５は、上下方向に延びる縦筒部５１と、縦筒部５１側が下る下り傾斜となるように延びると共に縦筒部５１に接続される横筒部５２と、を有する。
【００３３】
連結部材５は、支柱２と梁４とを接続する。連結部材５は、縦筒部５１の下端部（一方側）が、支柱２の上端部側から支柱２の支柱側ホロー部２１に挿入され、上下方向に並ぶ４つのネジ部材１０２により支柱２の屋根体６側の一側面のみにおいて支柱２に固定される。連結部材５は、横筒部５２の先端部（他方側）が、梁４の梁側ホロー部４１に挿入されて、上方側から２つのネジ部材１０３に固定されると共に、下方側から１つのネジ部材１０４で固定される。
【００３４】
支柱２と連結部材５とを固定する上下方向に並ぶ４つのネジ部材１０２は、図５に示すように、屋根体６側の支柱２の一側面の４箇所において、支柱２と連結部材５とを固定する。支柱２の屋根体６側の一側面に露出したネジ部材１０２は、支柱２の一側面を覆う支柱カバー部材３が支柱２に取り付けられることで、外部から視認されないように、支柱カバー部材３により覆われる。これにより、外部からネジ部材１０２が視認されないため、意匠性を向上できる。
【００３５】
梁４と連結部材５とを固定する複数のネジ部材１０３，１０４は、梁４の上面の２箇所と、梁４の下面の１箇所において、梁４と連結部材５とを固定する。梁４の上面側の２箇所のネジ部材１０３は、上方に露出して配置されるため、カーポート１の下方側からは視認されない。梁４の下面側の１箇所のネジ部材１０４は、梁４の下方に屋根体６が配置されるため、カーポート１の下方側からは視認されない。
【００３６】
屋根体６は、図５に示すように、屋根体６が一対の梁４の下部に吊られて配置される吊り下げ構造であって、一対の梁４の下部に取り付けられる（接続される）。屋根体６は、複数の長尺形材（長尺材）６１が、梁４が延びる方向に並んで連設されて互いが嵌合して連結されて構成される。
【００３７】
複数の長尺形材６１は、それぞれ、カーポート１の前後方向（梁４が延びる方向に直交する方向）に延びており、所定の厚さを有する。複数の長尺形材６１は、それぞれ、アルミ材料の押出し形材で形成され、断面が中空状に形成される中空部を有するホロー構造を有する。屋根体６は、上面６ａ及び下面６ｂがフラット（平面状）に形成される。屋根体６は、支柱２側が下る下り傾斜に配置されており、上面６ａ及び下面６ｂは、支柱２側が下る下り傾斜に形成される。アルミ材料の押出し形材で形成された複数の長尺形材６１を連結して屋根体６を構成することで、複数の長尺形材６１を、屋根体６の面材として使用できると共に、屋根体６の強度を確保することができる。また、屋根体６を構成する複数の長尺形材６１を、中空部を有する形材で構成することで、屋根体６自体を強度部材として使用でき、屋根体６の強度を出すための部材を別に設ける必要がない。よって、屋根体６を構成する部材の部品点数を低減できる。
【００３８】
屋根体６を構成する複数の長尺形材６１は、図５に示すように、支柱２側の最も基端側の端部に配置される樋構成形材６２と、最も先端側に配置される先端側形材６４と、樋構成形材６２と先端側形材６４との間に配置される複数の中間形材６３と、により構成される。複数の長尺形材６１は、それぞれ、ネジ部材１０１、１０５により、梁４に直接固定されて接続される。本実施形態においては、ネジ部材１０１、１０５には、緩み止め用の接着剤が塗布されている。なお、ネジ部材１０１、１０５には、緩み止め用の接着剤を塗布しなくてもよい。
【００３９】
樋構成形材６２は、屋根体６において、複数の長尺形材６１が並ぶ方向の支柱２側の端部に並列に配置される。樋構成形材６２は、複数の長尺形材６１のうち、複数の長尺形材６１が並ぶ方向の支柱２側の端部に配置される長尺形材であり、屋根体側樋構造として構成される。樋構成形材６２は、図６に示すように、上部側が上方側に向けて開口する長尺形材により形成される。本実施形態においては、樋構成形材６２は、中空部を有さないソリッド材により形成され、上部側が開口する断面Ｕ字形状に形成される。なお、樋構成形材６２は、これに限定されず、中空部を有するホロー構造のアルミ材料の長尺形材の上面が切り欠かれることで上部側が開口する形状に形成されていてもよい。
【００４０】
樋構成形材６２は、屋根体６の支柱２側の最も基端側の端部において、屋根体６の上面６ａを基端側に流れて基端側の端部に達した水を受け止めて流通させる屋根体側樋構成部６０を構成する。屋根体側樋構成部６０は、屋根体６の上面６ａを流れる水の下流側の端部に配置される。本実施形態においては、屋根体側樋構成部６０は、屋根体６における下り傾斜の端部であって、屋根体６における基端側の支柱２側の端部に配置されている。
【００４１】
屋根体側樋構成部６０は、上部側が開口しているため、屋根体側樋構成部６０を屋根体６の下方から見た場合に、長尺形材６１のフラットな（平面状の）下面が見えるだけで、屋根体６の上面６ａ側に樋が存在することを認識させずに樋を構成でき、意匠性を向上できる。
【００４２】
樋構成形材６２は、屋根体６の基端側の支柱２側に形成される樋構成部６２１と、屋根体６の先端側に形成される先端側上部外方延出片６２７（固定部）と、屋根体６の先端側に形成される先端側下部外方片６２８と、を有する。
【００４３】
樋構成部６２１は、上方が開放する略Ｕ字形状の樋構成部本体６２２と、屋根体６の基端側に配置される基端側上部内方延出片６２３と、屋根体６の先端側に配置される先端側上部内方延出片６２４と、水切りフィン６２５と、基端側上部壁６２６と、を有する。
【００４４】
樋構成部本体６２２は、屋根体６の上面６ａにおいて支柱２側に流された水を、上方の開放された部分から導入して受け止める。樋構成部本体６２２の側面には、導出開口６２２ａ（排水口）が形成される。
【００４５】
導出開口６２２ａは、図４及び図６に示すように、前後方向において一対の支柱２のうちの手前側の一方の支柱２が配置される部分において、樋構成部本体６２２の側面を支柱２側の側方に貫通して形成される。導出開口６２２ａには、Ｌ字状の誘導部材７の側部開口部７１（後述）が接続される。
【００４６】
誘導部材７は、図４及び図６に示すように、屋根体側樋構成部６０に流れ込んで滞留した水を、支柱側樋構成部２０に誘導する。誘導部材７は、前後方向に見た場合に、Ｌ字状の筒状に形成され、側部開口部７１と、下端開口部７２と、を有する。誘導部材７は、一方側の側部開口部７１が樋構成部本体６２２（屋根体側樋構成部６０）の側面に形成された導出開口６２２ａに接続されると共に、他方側の下端開口部７２が支柱２と支柱カバー部材３との間に挿入されて、支柱側樋構成部２０の内部に開口される。誘導部材７は支柱２と支柱カバー部材３との間に配置されるため、支柱２を切り欠かなくても、誘導部材７の下端開口部７２を支柱２側に配置できる。
【００４７】
基端側上部内方延出片６２３は、図６に示すように、樋構成部６２１の基端部側において、樋構成部６２１の上方側の内面から内方側に突出する。基端側上部内方延出片６２３には、ネジ部材１０１がねじ込まれる取付ネジ孔６２３ａが形成される。
【００４８】
先端側上部内方延出片６２４は、樋構成部６２１の幅方向の基端部と反対側において、樋構成部６２１の上端部から内側に突出する。先端側上部内方延出片６２４の先端には下端に突出する引っ掛け突出片６２４ａが形成される。樋構成形材６２を梁４に取り付ける場合には、樋構成形材６２の引っ掛け突出片６２４ａを、梁４の延出板部４２の下面に固定されたフック部１１０の立ち上がり板１１０ｄに引っ掛けることで、樋構成形材６２を、梁４の延出板部４２の下面に仮置きできる。また、樋構成形材６２の引っ掛け突出片６２４ａを梁４の延出板部４２の下面に固定されたフック部１１０の立ち上がり板１１０ｄに引っ掛けた状態で、引っ掛け突出片６２４ａを中心に樋構成形材６２を回転することで、樋構成形材６２を、取り付け位置に配置できる。フック部１１０は、図６に示すように、梁４の延出板部４２の下面に取り付けられる取付板１１０ａと、取付板１１０ａの先端側の端部から下方に延びる上下方向延在板１１０ｂと、上下方向延在板１１０ｂの下端部から先端側に延びる底面板１１０ｃと、底面板１１０ｃの先端側の端部から立ち上がる立ち上がり板１１０ｄと、を有する。
【００４９】
樋構成形材６２の引っ掛け突出片６２４ａは、樋構成形材６２が梁４に固定された状態においては、フック部１１０の上方に配置される。これにより、樋構成形材６２が梁４に固定された状態において、樋構成形材６２を固定するネジ部材１０５，１０１が外れた場合においても、引っ掛け突出片６２４ａは、フック部１１０の立ち上がり板１１０ｄに引っ掛かって、樋構成形材６２の落下を抑制できる。
【００５０】
水切りフィン６２５は、図６に示すように、樋構成部本体６２２における屋根体６の基端側において、樋構成部本体６２２の下端部から下方に突出する。水切りフィン６２５の下端部６２５ａの位置は、上下方向において、支柱カバー部材３の上端部３１よりも下方に位置する。
【００５１】
水切りフィン６２５は、後述する屋根体側部カバー部材８の水受け流路部８２２から導出された水が伝達され、屋根体側部カバー部材８の水受け流路部８２２により伝達された水を、屋根体６の下面６ｂに回り込まないように、屋根体６の下方に落下させる。
【００５２】
また、水切りフィン６２５の下端部６２５ａの位置は、上下方向において、支柱カバー部材３の上端部３１よりも下方に位置するため、水切りフィン６２５は、支柱カバー部材３の上端部３１よりも上方における誘導部材７が配置される部分を覆うことができる。これにより、誘導部材７を外部から隠すことができるため、意匠性を向上できる。
【００５３】
基端側上部壁６２６は、屋根体６の基端側の端部において、屋根体６の上面６ａから立設して形成される。基端側上部壁６２６は、屋根体６の基端側の端部において、水の飛び出しを低減する。
【００５４】
先端側上部外方延出片６２７は、樋構成部本体６２２における屋根体６の先端側（左側）の上端部から先端側に向けて延出する。先端側上部外方延出片６２７は、樋構成形材６２の先端側の端部の上端部に配置され、ネジ部材１０１により梁４に固定される固定部を構成する。先端側上部外方延出片６２７は、中間形材６３における引っ掛け係合部６２８ａの上方に形成される。先端側上部外方延出片６２７には、ネジ孔６２７ａが形成される。ネジ孔６２７ａには、樋構成形材６２の先端側の端部を梁４に取り付ける際に、梁４の延出板部４２の第２樋形材取り付けネジ孔４２１ｃの上方から挿入されたネジ部材１０１が挿入され、ネジ部材１０１は、先端側上部外方延出片６２７の下方に配置されるナット部材６０１に螺合する。先端側上部外方延出片６２７は、中間形材６３における引っ掛け係合部６２８ａの上方において、ネジ部材１０１により、梁４の延出板部４２に固定される。
【００５５】
先端側上部外方延出片６２７における屋根体６の先端側（左側）の端部には、側方に延出する側方延出壁６２７ｂと、下方延出壁６２７ｃと、が形成される。
【００５６】
下方延出壁６２７ｃの先端側（左側）の面には、隣接する中間形材６３の基端側の端部に取り付けられるパッキン部材６０２が押圧される。パッキン部材６０２は、樋構成形材６２と中間形材６３との連結部分に配置される止水部として機能する。パッキン部材６０２は、樋構成形材６２及び隣接する中間形材６３（長尺形材６１）の連結部分が延びる方向、即ち、長尺形材６１の長尺方向（長手方向）に沿って延びるように形成される。
【００５７】
先端側下部外方片６２８は、樋構成部本体６２２における屋根体６の先端側（左側）の下端部から先端側（左側）に延出する。先端側下部外方片６２８における先端側（左側）の端部には、上方側に突出する引っ掛け係合部６２８ａ（第１係合部、第１嵌合部）が形成される。
【００５８】
引っ掛け係合部６２８ａは、図６に示すように、梁４に取り付けられた樋構成形材６２の先端側（長手方向に直交する幅方向の一端部側）の端部において、樋構成形材６２の下端部に形成される。引っ掛け係合部６２８ａは、梁４に取り付けられた樋構成形材６２の先端側（長手方向に直交する幅方向の一端部側）の端部において、樋構成形材６２の下端部に配置される先端側下部外方片６２８から上方に立ち上がると共に、立ち上がった上端部において長手方向に直交する幅方向に延びるＴ字状に形成される。引っ掛け係合部６２８ａは、立ち上がり部６２８ｂと、立ち上がり部６２８ｂの上端部から先端側に延びる第１引っ掛け部６２８ｃ（引っ掛け部）と、立ち上がり部６２８ｂの上端部から先端とは反対側（基端側、支柱側）に延びる第２引っ掛け部６２８ｄ（引っ掛け部）と、を有する。
【００５９】
中間形材６３の引っ掛け係合部６２８ａの第１引っ掛け部６２８ｃは、隣接する中間形材６３の基端側の下端部の側面から基端側に突出する基端側下部突出片６３６（第２嵌合部）に係合可能である。また、中間形材６３の引っ掛け係合部６２８ａの第２引っ掛け部６２８ｄは、隣接する中間形材６３の基端側（長手方向に直交する幅方向の樋構成形材６２側の端部側）の端部に形成される引っ掛け延出片６３５の戻り引っ掛け片６３５ｂ（第２係合部、第２嵌合部）（後述）に係合可能である。
【００６０】
先端側下部外方片６２８の上面には、隣接する長尺形材６１の中間形材６３における中段樋構成部６１０（後述）（第１の第３止水部）から溢れた水が流通する。先端側下部外方片６２８の上面は、屋根体６の内部において、上下方向の下段に位置する下段樋構成部６２０を構成する。下段樋構成部６２０は、水を流す樋機能を有すると共に、止水部（第２の第３止水部）として機能する。下段樋構成部６２０は、パッキン部材６０２を通過して中段樋構成部６１０に受け止められた水であって中段樋構成部６１０（第１の第３止水部）から溢れた水を受け止めて、受け止めた水を前後方向の両端部側に流通させる。
つまり、屋根体６は、隣接する長尺形材６１の連結部分において、図６及び図７に示すように、２段の樋構造を備えており、上段側に配置されると共に上段側で水を受け止める中段樋構成部６１０と、下段側に配置されると共に下段側で中段樋構成部６１０から溢れた水を受け止める下段樋構成部６２０と、を備えている。中段樋構成部６１０及び下段樋構成部６２０は、隣接する長尺形材６１の連結部分が延びる方向、即ち、長尺形材６１の長尺方向（長手方向）に沿って延びる。
【００６１】
樋構成形材６２は、基端側において、上方側からネジ部材１０５が移動され、梁４の延出板部４２の第１樋形材取り付けネジ孔４２１ａを通されたネジ部材１０５が基端側上部内方延出片６２３の取付ネジ孔６２３ａに螺合されることで、梁４に固定される。また、樋構成形材６２においては、図６に示すように、ナット部材６０１は、樋構成形材６２における先端部側において、樋構成形材６２の内部に取り付けられている。樋構成形材６２は、先端側において、上方側から移動されるネジ部材１０１により、梁４の延出板部４２の片側取り付けネジ孔４２１ｄと先端側上部外方延出片６２７のネジ孔６２７ａとに挿通されたネジ部材１０１が、ナット部材６０１に螺合されることで、梁４に固定される。
【００６２】
中間形材６３は、樋構成形材６２と先端側形材６４との間に複数並んで配置される。中間形材６３は、図７に示すように、中間形材６３側に配置される第１中間ホロー部６３１と、第１中間ホロー部６３１の先端側に配置される第２中間ホロー部６３２と、第１中間ホロー部６３１における基端側の側面に形成されるパッキン取付凹部６３３と、第１中間ホロー部６３１の中間形材６３側の面において上下方向の略中央から中間形材６３側に延在するＬ字状の中段樋部６３４（止水部）と、中段樋部６３４の基端側の端部の下端部から下方に延びるＬ字状の引っ掛け延出片６３５と、第１中間ホロー部６３１における中間形材６３側の下端部の側面から基端側に突出する基端側下部突出片６３６（第２嵌合部、引っ掛け突出部）と、先端側上部外方延出片６３７（固定部）と、先端側下部外方片６３８と、を有する。
【００６３】
中段樋部６３４の基端側の端部の下方側には、図６に示すように、下方に開口（開放）する開口部６３９が形成される。開口部６３９は、中段樋部６３４における第１中間ホロー部６３１の基端側に配置される上下方向に延びる端辺６３１ａと、Ｌ字状の引っ掛け延出片６３５とにより形成される。開口部６３９の開口縁には、開口部６３９の開口縁から開口部６３９の内側に互いに対向して突出する対向突出部６３９ａ（第２嵌合部）が形成される。本実施形態においては、対向突出部６３９ａは、基端側下部突出片６３６と、Ｌ字状の引っ掛け延出片６３５の戻り引っ掛け片６３５ｂ（後述）と、により構成され、互いが近づくように、開口部６３９の内側に向けて突出して延びる。
【００６４】
以上のように構成される樋構成形材６２及び中間形材６３においては、隣接する樋構成形材６２及び中間形材６３が嵌合した状態において、樋構成形材６２の引っ掛け係合部６２８ａの第１引っ掛け部６２８ｃが、隣接する中間形材６３の基端側下部突出片６３６に係合（嵌合）すると共に、樋構成形材６２の引っ掛け係合部６２８ａの第２引っ掛け部６２８ｄが、隣接する中間形材６３の引っ掛け延出片６３５の戻り引っ掛け片６３５ｂ（後述）に係合（嵌合）することで、隣接する樋構成形材６２及び中間形材６３は、互いに嵌合する。
本実施形態においては、隣接する樋構成形材６２及び中間形材６３が連結した状態において、樋構成形材６２の引っ掛け係合部６２８ａ（第１引っ掛け部６２８ｃ及び第２引っ掛け部６２８ｄ）は、隣接する中間形材６３の開口部６３９の内部に配置された状態で、上下方向の移動を規制するように、対向突出部６３９ａ（基端側下部突出片６３６、Ｌ字状の引っ掛け延出片６３５の戻り引っ掛け片６３５ｂ）に引っ掛かって嵌合する。
【００６５】
パッキン取付凹部６３３は、基端側に隣接する樋構成形材６２の下方延出壁６２７ｃに対向して配置される。パッキン取付凹部６３３の上面６３３ａは、屋根体６の上面６ａから一段下がった位置に形成される。パッキン取付凹部６３３の上面６３３ａには、側方延出壁６２７ｂ（又は、側方延出壁６３７ｂ）が配置される。つまり、側方延出壁６２７ｂ（又は、側方延出壁６３７ｂ）は、パッキン取付凹部６３３の上面６３３ａに重なって配置される。パッキン取付凹部６３３は、隣接する長尺形材６１の連結部分が延びる方向、即ち、長尺形材６１の長尺方向（長手方向）に沿って延びる。パッキン取付凹部６３３には、パッキン部材６０２が取り付けられる。パッキン部材６０２は、パッキン取付凹部６３３に取り付けられた状態で、基端側に隣接する樋構成形材６２の下方延出壁６２７ｃを押圧する。パッキン部材６０２は、樋構成形材６２と中間形材６３との連結部分に配置され、止水部として機能する。
以上のように、パッキン取付凹部６３３の上面６３３ａには、側方延出壁６２７ｂ（又は、側方延出壁６３７ｂ）が重なって配置される。このため、パッキン部材６０２が外部に直接露出されないため、パッキン部材６０２の耐候性を向上でき、パッキン部材６０２の劣化を低減できる。
【００６６】
中段樋部６３４は、底壁部６３４ａと、立設片６３４ｂと、を有する。中段樋部６３４は、屋根体６の内部において、上下方向の中段に位置する中段樋構成部６１０を構成する。中段樋構成部６１０は、水を流す樋機能を有すると共に、止水部として機能する。中段樋構成部６１０は、パッキン部材６０２で止水できなかったパッキン部材６０２を通過した水を受け止めて、受け止めた水を前後方向の両端部側に流通させる。また、中段樋構成部６１０は、連結端部止水部６８０（第２止水部）（後述）を通過した水を受け止めて、受け止めた水を前後方向の両端部側に流通させる。
【００６７】
Ｌ字状の引っ掛け延出片６３５は、下方延出片６３５ａと、下方延出片６３５ａの下端部から第１中間ホロー部６３１側に戻るように延びる戻り引っ掛け片６３５ｂ（第２嵌合部、引っ掛け突出部）と、を有する。戻り引っ掛け片６３５ｂは、隣接する樋構成形材６２の先端側の端部に形成される引っ掛け係合部６２８ａ（第１嵌合部）に係合可能である。戻り引っ掛け片６３５ｂは、引っ掛け係合部６２８ａに係合した状態で、引っ掛け係合部６２８ａを中心に回転可能である。
【００６８】
梁４に接続した樋構成形材６２の隣りに、隣接する中間形材６３を取り付ける場合には、梁４に取り付けられた樋構成形材６２の引っ掛け係合部６２８ａに、中間形材６３の引っ掛け延出片６３５を引っ掛けることで、梁４の下方において、中間形材６３を仮置きできる。また、樋構成形材６２の引っ掛け係合部６２８ａに中間形材６３の引っ掛け延出片６３５を引っ掛けた状態で、引っ掛け延出片６３５の先端を中心に中間形材６３を回転することで、中間形材６３を取り付け位置に配置できる。
中間形材６３を取り付け位置に配置した状態においては、樋構成形材６２における梁４の先端側には、樋構成形材６２の引っ掛け係合部６２８ａに中間形材６３の引っ掛け延出片６３５が嵌合した状態で、中間形材６３が取り付けられる。
【００６９】
中間形材６３の先端側上部外方延出片６３７及び先端側下部外方片６３８については、説明しない点については、樋構成形材６２の先端側上部外方延出片６２７及び先端側下部外方片６２８の構造と同様である。そのため、中間形材６３の先端側上部外方延出片６３７及び先端側下部外方片６３８の構造については、図７において樋構成形材６２の構造に対応する符号を付して、その説明を省略する。
【００７０】
中間形材６３においては、図７に示すように、ナット部材６０１は、中間形材６３における先端部側（長手方向に直交する幅方向における戻り引っ掛け片６３５ｂ（第２係合部）と反対側の端部側）において、中間形材６３の内部に取り付けられている。中間形材６３は、先端側において、上方側から移動されるネジ部材１０１により、梁４の延出板部４２の片側取り付けネジ孔４２１ｄと先端側上部外方延出片６３７のネジ孔６３７ａとに挿通されたネジ部材１０１が、ナット部材６０１に螺合されることで、梁４に固定される。
【００７１】
また、連続して配置される複数の中間形材６３のうち、梁４に接続した中間形材６３の先端側に隣接して配置される中間形材６３の構成は、梁４に接続した樋構成形材６２の先端側に隣接して配置される中間形材６３の構成と同様である。そのため、中間形材６３に隣接して配置される中間形材６３の構成の説明は省略する。
【００７２】
梁４に接続した中間形材６３の隣りに、隣接する中間形材６３を取り付ける場合には、樋構成形材６２の隣りに中間形材６３を取り付ける場合と同様に、梁４に取り付けられた中間形材６３の引っ掛け係合部６３８ａ（第１係合部）に、中間形材６３の引っ掛け延出片６３５（第２係合部）を引っ掛けることで、梁４の下方において、中間形材６３を仮置きできる。また、中間形材６３の引っ掛け係合部６３８ａに中間形材６３の引っ掛け延出片６３５を引っ掛けた状態で、引っ掛け延出片６３５の先端を中心に中間形材６３を回転することで、中間形材６３を取り付け位置に配置できる。
隣接する中間形材６３を取り付け位置に配置した状態においては、既に取り付けられている中間形材６３における梁４の先端側には、既に取り付けられている中間形材６３の引っ掛け係合部６３８ａに、隣接する中間形材６３の引っ掛け延出片６３５が嵌合した状態で、隣接する中間形材６３が取り付けられる。
【００７３】
先端側形材６４は、図５に示すように、梁４に接続された複数の中間形材６３の先端側に配置される。先端側形材６４は、１つのホロー部６４１を有する。また、先端側形材６４における支柱２側の基端側の形状は、中間形材６３の支柱２側の形状と同様であるため、中間形材６３の説明を援用して、その説明を省略する。また、梁４に接続した中間形材６３の隣に、隣接する先端側形材６４を取り付ける場合においても、中間形材６３を樋構成形材６２の隣りに取り付ける場合と同様である。
先端側形材６４を取り付け位置に配置した状態においては、先端側形材６４の隣りの中間形材６３における梁４の先端側には、中間形材６３の引っ掛け係合部６３８ａに、先端側形材６４の引っ掛け延出片（図示せず）が嵌合した状態で、先端側形材６４が取り付けられる。
【００７４】
また、屋根体６を構成する複数の長尺形材６１のうち、最も先端側に配置される先端側形材６４においては、図９及び図１０に示すように、先端側形材６４の長手方向の両端部は、ネジ部材１０７により、一対の屋根体側部カバー部材８（後述）それぞれの上面カバー部８１に固定されている。一対の屋根体側部カバー部材８は、図２に示すように、先端側形材６４の長尺方向（長手方向）の両端部（屋根体６の前後方向の両端部）において、先端側形材６４の長手方向に直交（交差）する方向（梁４が延びる方向）に延びる。
【００７５】
以上のように構成される屋根構造体において、図５に示すように、屋根体６における複数の長尺形材６１は、梁４の基端側から先端側に向かって、樋構成形材６２、複数の中間形材６３、先端側形材６４の順に並んで連接される。樋構成形材６２、複数の中間形材６３、先端側形材６４は、それぞれ、梁４の基端側において嵌合して連結され、梁４の先端側において、ネジ部材１０１により梁４に固定される。
【００７６】
屋根体先端カバー部材６５は、屋根体６の最も先端において、先端側形材６４の先端に取り付けられる。屋根体先端カバー部材６５は、屋根体６の前後方向に延びる。屋根体先端カバー部材６５は、図５に示すように、先端側の下端部において、下方に突出するフィン６５１を有する。
【００７７】
屋根体側部カバー部材８は、図２に示すように、２つのカーポート１Ａ，１Ｂを連結する場合に、カーポート１Ａ，１Ｂが連結されない側の屋根体６の前後方向の端部において、長尺形材６１の長手方向に直交（交差）する方向に延びて配置される。本実施形態においては、２つのカーポート１Ａ，１Ｂを連結する場合には、２つのカーポート１Ａ，１Ｂの間には、後述する屋根体６の連結構造における連結部３００が配置される。そのため、屋根体側部カバー部材８は、カーポート１Ａ，１Ｂが連結されない側の屋根体６の前後方向の端部に設けられる。屋根体側部カバー部材８は、カーポート１Ａ，１Ｂが連結されない側の屋根体６の前後方向の端部において、長尺形材６１の側部を覆うように配置される。屋根体側部カバー部材８は、それぞれ、支柱２側が下る下り傾斜で、屋根体６の傾斜方向に沿って延びる。屋根体側部カバー部材８は、図９に示すように、上部フランジ部としての上面カバー部８１と、側面カバー部８２と、を有する。
【００７８】
上面カバー部８１は、図９に示すように、左右方向（長尺形材６１が延びる方向に交差する交差方向）に幅を有して形成され、かつ、屋根体６の傾斜方向に沿って左右方向に延びる板状に形成される。上面カバー部８１は、屋根体６の上面６ａに係止されて配置される。
【００７９】
上面カバー部８１は、側面カバー部８２に接続され、側面カバー部８２の上部側の部分から長尺形材６１側に所定幅で略水平に突出する。上面カバー部８１は、長尺形材６１の長手方向の端部の上部を覆うように、長尺形材６１の長手方向の端部の上部に配置される。上面カバー部８１の下面には、下方に突出する止水凸部８１１（第１止水部）と、下方に突出する２つの突き当て部８１２，８１３と、が形成される。
【００８０】
止水凸部８１１は、上面カバー部８１の下面において、長尺形材６１の長手方向の外側の端部の下面に配置される。止水凸部８１１は、長尺形材６１の長手方向に直交する方向に沿って延びて配置され、長尺形材６１の長手方向に直交する方向の略全域に亘って延びる。止水凸部８１１は、複数の長尺形材６１の上面に当接する。これにより、止水凸部８１１は、長尺形材６１の端部において、上面カバー部８１と屋根体６との間に水が浸入することを抑制する止水部（第１止水部）として機能する。
【００８１】
２つの突き当て部８１２，８１３は、上面カバー部８１の下面から下方に突出して形成され、上面カバー部８１の止水凸部８１１よりも長尺形材６１の長手方向の外側において、長尺形材６１の長手方向に離間して配置される。突き当て部８１２，８１３は、屋根体６において長尺形材６１の長手方向に直交する方向の略全域に亘って延びる。
【００８２】
止水凸部８１１と突き当て部８１２との間には、上面カバー部８１の下面と長尺形材６１との間において、上面シール部材８１４が配置される。上面シール部材８１４は、長尺形材６１の長手方向に所定幅を有し、長尺形材６１の長手方向に直交する交差方向の略全域に亘って延びる。
【００８３】
側面カバー部８２は、上面カバー部８１における長尺形材６１の長手方向の端部の側部の外側に接続され、上下方向に幅を有して形成され、かつ、屋根体６の傾斜方向に沿って左右方向に延びる板状に形成される。側面カバー部８２は、屋根体６における前後方向の端部の側部を覆うように配置される。
【００８４】
側面カバー部８２は、上方に突出する上部突出部８２１と、下方側に形成され内面から内側に延出して形成される水受け流路部８２２（第４止水部）と、水受け流路部８２２の下部から下方に突出する水切り突状部（水切りフィン）８２３と、水受け流路部８２２の上方側において内面から内側に突出する２つの突状部８２４と、を有する。
【００８５】
水受け流路部８２２は、中段樋構成部６１０及び下段樋構成部６２０から導出されて屋根体６の前後方向の端部に流された水を受け止める。水受け流路部８２２は、屋根体６の先端側から基端側に水が向かう流路を構成すると共に、水を止水する止水部として機能する。水受け流路部８２２に受け止められた水は、側面カバー部８２が基端側に傾斜する下り傾斜に構成されるため、基端側に流される。水受け流路部８２２により屋根体６の基端側に流された水は、基端側の端部において、屋根体６の下方に落下する。
【００８６】
ここで、側面カバー部８２の基端側には、側面カバー部８２に直交する方向に延びて形成される樋構成形材６２の下端部から下方に延びる水切りフィン６２５が配置されている。そのため、水切りフィン６２５には、側面カバー部８２の水受け流路部８２２の上面を流された水の一部が伝達される。水切りフィン６２５からは、側面カバー部８２の水受け流路部８２２から伝達された水が、屋根体６の基端部側において屋根体６の下方に落下する。
【００８７】
また、図１１及び図１２に示すように、長尺形材６１の長手方向の屋根体側部カバー部材８が配置される側の端部において、長尺形材６１には、長手方向に沿って所定長さ切り欠かれる切欠部６３７ｆ（６２７ｆ）が形成される。切欠部６３７ｆ（６２７ｆ）は、長尺形材６１の長手方向に直交する方向の屋根体６の先端側の端部において、長尺形材６１同士の接続部分における前後方向の端部以外の部分に形成される側方延出壁６３７ｂ（６２７ｂ）が切り欠かれて形成される。切欠部６３７ｆ（６２７ｆ）は、長尺形材６１の長手方向に直交する方向の所定幅で、側面カバー部８２が配置される側の端部から長尺形材６１の長手方向に沿って内側に所定長さ切り欠かれたポケット状に形成される。
【００８８】
切欠部６３７ｆ（６２７ｆ）には、カーポート１の施工時に、湿式シール部材６０３が塗工される。切欠部６３７ｆ（６２７ｆ）は、湿式シール部材６０３が塗工されない状態においては、長尺形材６１同士の接続部分において止水するパッキン部材６０２の長手方向の端部が外部に露出するように切り欠かれている。切欠部６３７ｆ（６２７ｆ）において、カーポート１の施工時に、露出されたパッキン部材６０２を覆うように、湿式シール部材６０３が塗工される。パッキン部材６０２、切欠部６３７ｆ（６２７ｆ）、及び湿式シール部材６０３は、連結端部止水部６８０（第２止水部）を構成する。
【００８９】
以上のように構成されるカーポート１においては、屋根体６を下方から見た場合に下面６ｂが平面状であるため、意匠性を向上できる。
また、屋根体６を、複数の長尺形材６１を並べて構成したため、枠組みされたフレーム（枠体）を用いずに、屋根体を構成できる。これにより、屋根体６の厚さを、フレーム（枠体）を使用した場合よりも薄く形成できると共に、屋根体６の下面６ｂを凹凸の存在しないフラットな形状とすることができる。
【００９０】
また、複数の長尺形材６１を、梁４が延びる方向に並べて配置した。そのため、複数の長尺形材６１において、長尺形材６１の長尺方向を梁４が延びる方向に交差する方向に延びるように配置できるため、複数の長尺形材６１を、梁４に直接固定することができる。これにより、複数の長尺形材６１を、梁４に接続する場合に、複数の長尺形材６１を、支持部材などを介して、梁４に接続しなくてよい。よって、梁４と複数の長尺形材６１とを支持部材などを用いて接続しなくてよいため、部品点数を削減でき、施工性を向上できる。また、梁４と複数の長尺形材６１との間に支持部材などを配置しなくてよいため、梁４及び屋根体６の高さ寸法を小さくすることができる。
【００９１】
また、屋根体６を、複数の長尺形材６１を並べて構成したため、屋根体と下面をフラットに形成した天井材との二重構造で構成した屋根体よりも、製造コストを低減できる。
また、屋根体６は、梁４の下方において梁４に吊られて配置されるため、屋根体６の上方に位置する梁４は、カーポート１を下方側から見た場合に、屋根体６に遮蔽されるため、視認されにくい。これにより、カーポート１の意匠性を向上できる。
【００９２】
次に、カーポートの施工方法について、図１３〜図１６を参照しながら説明する。
まず、図１３に示すように、支柱２を設置して、支柱２に梁４を接続する。具体的には、支柱２の下端部を地面１１に固定した後に、支柱２の支柱側ホロー部２１の上端部に、Ｌ字状の連結部材５の下端部を挿入する。連結部材５の下端部と支柱２の上端部とを、支柱２の上端部の屋根体６側の側面において、上下方向に並ぶ４つのネジ部材１０２により固定する。
【００９３】
続けて、支柱カバー部材３を、図１３に示すように、４つのネジ部材１０２を覆うように、支柱２の屋根体６側の側面に取り付ける。これにより、連結部材５と支柱２の上端部とを固定した４つのネジ部材１０２は、外部からは視認されない。そのため、意匠性を向上できる。
【００９４】
また、支柱カバー部材３は、支柱２の一側面のみにおいて、連結部材５の一側面のみ固定する４つのネジ部材１０２を覆うように配置される（図５参照）。そのため、支柱２の両方の側面にカバー部材を設けるよりも、部品点数を削減できると共に、コストを削減できる。また、支柱２の一側面のみに支柱カバー部材３を取り付ければよいため、支柱カバー部材３を取り付ける施工性が向上する。また、支柱２の両方の側面にカバー部材を設けるよりも、支柱２の幅の寸法が大きくなることを抑制できる。
【００９５】
また、支柱カバー部材３は、上下方向に延びる１枚のカバー部材により構成される。そのため、複数枚のカバー部材で構成されるよりも、部品点数を削減できると共に、コストを削減できる。また、支柱カバー部材３が１枚のカバー部材により構成されるため、取り付け作業が容易であり、施工性が向上する。また、支柱カバー部材３が１枚のカバー部材により構成されるため、複数枚のカバー部材で構成されることでカバー部材が分断して配置されるよりも、意匠性を向上できる。
【００９６】
支柱２の側面と支柱カバー部材３との間には、水が流通する。支柱２の側面と支柱カバー部材３とにより、支柱側樋構成部２０が構成される。支柱側樋構成部２０は、外部から視認されないため、意匠性を向上できる。
また、支柱キャップ２０１を、支柱２の上端部の開口を覆うように、ネジ止めにより、連結部材５の上端部に固定する。
【００９７】
次に、連結部材５の他端側の側方の端部を、梁４の梁側ホロー部４１の基端側に挿入する。そして、連結部材５と梁４とを３つのネジ部材１０３，１０３，１０４により固定する。２つのネジ部材１０３により、梁４の上面側から、梁４と連結部材５とを固定し、１つのネジ部材１０４により、梁４の下面側から、梁４と連結部材５とを固定する。また、梁４の先端側の端部に、端部キャップ４３を取り付ける。また、誘導部材７を、下端開口部７２が、支柱２と支柱カバー部材３との間に配置されるように取り付ける。
【００９８】
続けて、図１３に示すように、梁４の下部に屋根体６を取り付ける。具体的には、梁４の延出板部４２の下面に、複数の長尺形材６１を、梁４の基端側（支柱２側）の端部側から順に、１つずつ梁４に取り付ける。
【００９９】
詳細には、まず、図１３に示すように、作業者は、屋根体６の最も基端側（支柱２側）において、梁４の延出板部４２の下面に、樋構成形材６２を取り付ける。
図１５に示すように、樋構成形材６２を梁４に施工する場合には、作業者は、樋構成形材６２の引っ掛け突出片６２４ａを、梁４の延出板部４２の下面に固定されたフック部１１０に引っ掛けることで、樋構成形材６２を、梁４の延出板部４２の下面に仮置きする。これにより、作業者は樋構成形材６２から手を一旦離すことができるため、一人の作業者でも作業を行うことができ、樋構成形材６２を梁４に取り付ける際の作業性を向上できる。
【０１００】
その後、作業者は、樋構成形材６２の引っ掛け突出片６２４ａを梁４の延出板部４２の下面に固定されたフック部１１０に引っ掛けた状態で、引っ掛け突出片６２４ａを中心に樋構成形材６２を回転することで、樋構成形材６２を、取り付け位置に配置する。そのため、樋構成形材６２を仮置きの状態から取り付け位置に容易に移動できるため、樋構成形材６２を梁４に取り付ける際の作業性を向上できる。フック部１１０に引っ掛け突出片６２４ａを引っ掛けて回転するだけで、長尺形材６１を、梁４への取り付け位置に配置できる。これにより、屋根体６を施工する施工性を向上できる。
【０１０１】
次に、作業者は、樋構成形材６２を、梁４の延出板部４２に、ネジ部材１０１、１０５で固定する。具体的には、樋構成形材６２を、基端側において、上方側からネジ部材１０５を移動させて、梁４の延出板部４２の第１樋形材取り付けネジ孔４２１ａを挿通させたネジ部材１０５を基端側上部内方延出片６２３の取付ネジ孔６２３ａに螺合させて、樋構成形材６２の基端側を梁４に固定する。また、樋構成形材６２を、先端側において、上方側からネジ部材１０１を移動させて、梁４の延出板部４２の第２樋形材取り付けネジ孔４２１ｃと先端側上部外方延出片６２７のネジ孔６２７ａとに挿通させたネジ部材１０１を、ナット部材６０１に螺合させて、樋構成形材６２の先端側を梁４に固定する。樋構成形材６２は、屋根体側樋構成部６０を構成する。屋根体側樋構成部６０は、屋根体６の下方側から視認されないため、意匠性を向上できる。
【０１０２】
続けて、作業者は、図１４に示すように、最も基端側に取り付けた樋構成形材６２の先端側の隣りにおいて、梁４の延出板部４２の下面に中間形材６３を取り付ける。
図１６に示すように、樋構成形材６２の先端側の隣りに、中間形材６３を梁４に施工する場合には、作業者は、梁４に取り付けられた樋構成形材６２の引っ掛け係合部６２８ａに、中間形材６３の引っ掛け延出片６３５の戻り引っ掛け片６３５ｂを引っ掛けることで、梁４の下方において、中間形材６３を仮置きする。これにより、作業者は中間形材６３から手を一旦離すことができるため、一人の作業者でも作業を行うことができ、樋構成形材６２を梁４に取り付ける際の作業性を向上できる。
【０１０３】
その後、樋構成形材６２の引っ掛け係合部６２８ａに中間形材６３の引っ掛け延出片６３５を引っ掛けた状態で、引っ掛け延出片６３５の戻り引っ掛け片６３５ｂ（及び引っ掛け係合部６２８ａ）を中心に中間形材６３を回転することで、中間形材６３を取り付け位置に配置する（配置工程）。これにより、中間形材６３を仮置きの状態から取り付け位置に容易に移動できるため、中間形材６３を梁４に取り付ける際の作業性を向上できる。また、引っ掛け係合部６２８ａに戻り引っ掛け片６３５ｂを引っ掛けて回転するだけで、長尺形材６１を、梁４への取り付け位置に配置できる。これにより、屋根体６を施工する施工性を向上できる。
【０１０４】
次に、作業者は、中間形材６３を、梁４の延出板部４２に、ネジ部材１０１で固定する。具体的には、中間形材６３を、先端側において、ネジ部材１０１を上方側から移動し、梁４の延出板部４２の片側取り付けネジ孔４２１ｄと先端側上部外方延出片６３７のネジ孔６３７ａとに通されたネジ部材１０１を、ネジ部材１０１をナット部材６０１に螺合させて、樋構成形材６２の先端側を梁４に固定する（固定工程）。
【０１０５】
ここで、中間形材６３の基端側は、ネジ部材で固定しなくても、樋構成形材６２の引っ掛け係合部６２８ａに中間形材６３の引っ掛け延出片６３５が引っ掛けた状態で係合している。そのため、中間形材６３の先端側（一方側）のみを、ネジ部材１０１で固定すれば、中間形材６３を梁４に固定できる。また、ネジ部材１０１を上方側から移動させるだけで、中間形材６３を梁４に固定できる。これにより、樋構成形材６２を梁４に取り付ける際の作業性を向上できる。
【０１０６】
続けて、図１４に示すように、梁４に取り付けた中間形材６３の先端側の隣りにおいて、複数の中間形材６３を、屋根体６の基端側から、先端側に向けて順に連続して取り付ける。具体的には、複数の中間形材６３を、それぞれ、屋根体６の基端側から順に、仮置きして、回転させ、ネジ部材１０１による固定することを繰り返す。これらの方法は、上述した樋構成形材６２の隣りに中間形材６３を取り付ける場合と同様であるため、説明を省略する。複数の中間形材６３を梁４に取り付けた後に、屋根体６の先端側において、先端側形材６４を取り付ける。そして、先端側形材６４の先端部に、屋根体先端カバー部材６５を取り付ける。
【０１０７】
このように、長尺形材６１を仮置きした後に、長尺形材６１を回転させて、長尺形材６１をネジ部材１０１により梁４に固定して取り付けることができるため、作業者は一人で容易にカーポート１を組み立てることできる。また、長尺形材６１（樋構成形材６２、中間形材６３、先端側形材６４）を梁４に取り付ける際に、基端側（支柱２側）から１枚ずつ順に取り付け、かつ、ネジ部材１０１を上方から移動させるだけで長尺形材６１を梁４に固定できるため、容易に取り付け作業を行うことができる。これにより、カーポート１を施工する際の作業性を向上できる。
【０１０８】
また、中間形材６３の幅方向の一方側のみを固定するだけで、中間形材６３を梁４に取り付けることができる。よって、屋根体６を施工する施工性を向上できる。
また、複数の長尺形材６１を支柱２側から順に梁４に取り付けるため、支柱２側から順に長尺形材６１を施工できるため、長尺形材６１の位置合わせが容易である。また、長尺形材６１を配置する際に、支柱２から離れる側に順に長尺形材６１を施工できるため、支柱２が邪魔になりにくい。これにより、屋根体６を施工する施工性を向上できる。
また、本実施形態のカーポート１の施工方法においては、複数の長尺形材６１を支柱２側から順に梁４に取り付ける工程を備える。そのため、支柱２側から順に長尺形材６１を施工できるため、長尺形材６１の位置合わせが容易である。また、長尺形材６１を配置する際に、支柱２が邪魔になりにくい。これにより、屋根体６を施工する施工性を向上できる。
【０１０９】
次に、カーポート１における雨水の流れについて説明する。
屋根体６の上面６ａに降り注いだ雨水は、図２に示すように、屋根体６の上面６ａの傾斜に沿って、基端側の支柱２側に流れる。支柱２側に流れた水は、屋根体側樋構成部６０に流入して、屋根体側樋構成部６０の導出開口６２２ａに接続された誘導部材７を介して、支柱２と支柱カバー部材３との間の支柱側樋構成部２０（図５参照）に流入する。
【０１１０】
また、屋根体６の長手方向の端部は、屋根体側部カバー部材８の上面カバー部８１の下面に形成される止水凸部８１１（第１止水部）及び上面カバー部８１と長尺形材６１との間に配置される上面シール部材８１４により、長尺形材６１の長手方向に沿って止水されている。そのため、屋根体側部カバー部材８の上面カバー部８１と屋根体６との間に水が入ることが抑制されて、屋根体６の上面６ａの傾斜に沿って長尺形材６１の長手方向に直交する方向の支柱２側に流れる。支柱２側に流れた水は、屋根体側樋構成部６０に流入して、屋根体側樋構成部６０の導出開口６２２ａに接続された誘導部材７を介して、支柱２と支柱カバー部材３との間の支柱側樋構成部２０に流入する。
【０１１１】
支柱側樋構成部２０に流入した水は、支柱側樋構成部２０を地面１１側に落下して、排水受け蓋部材２４に受け止められて、地面１１の付近に配置される排出開口２４ａから、支柱２の外部に排出される。
【０１１２】
ここで、長尺形材６１同士の接続部分には、図６及び図７に示すように、パッキン部材６０２が配置されている。そのため、屋根体６の上面６ａを流れる水を、長尺形材６１同士の接続部分において、パッキン部材６０２で止水できる。これにより、屋根体６の上面６ａを流れる水をパッキン部材６０２により止水して、屋根体６の下面６ｂから、水が落下することを抑制できる。本実施形態では、パッキン取付凹部６３３の上面６３３ａには、側方延出壁６２７ｂが重なって配置される。このため、パッキン部材６０２が外部に直接露出されないため、パッキン部材６０２の耐候性を向上でき、パッキン部材６０２の劣化を低減できる。
【０１１３】
また、長尺形材６１同士の接続部分がパッキン部材６０２により止水されているため、パッキン部材６０２の上方側を、長尺形材６１同士の接続部分における長尺形材６１の縁部を伝わって水が流れる。ここで、図１１及び図１２に示すように、長尺形材６１同士の接続部分における前後方向の側面カバー部８２が配置される側の端部において、長尺形材６１には、連結端部止水部６８０（第２止水部）が設けられている。連結端部止水部６８０（第２止水部）は、パッキン部材６０２、切欠部６３７ｆ（６２７ｆ）、及び湿式シール部材６０３を備えて構成される。切欠部６３７ｆ（６２７ｆ）は、長尺形材６１同士の接続部分における前後方向の側面カバー部８２が配置される側の端部において、長手方向に切り欠かれて形成される。湿式シール部材６０３は、パッキン部材６０２を覆うように塗工されている。連結端部止水部６８０は、長尺形材６１同士の接続部分の長手方向の端部において、長尺形材６１同士の接続部分を伝わる水を端部側において止水することができる。
【０１１４】
また、パッキン部材６０２の部分や、屋根体側部カバー部材８の上面カバー部８１の下面に形成される止水凸部８１１（第１止水部）の部分や、上面シール部材８１４の部分や、連結端部止水部６８０（第２止水部）の部分を水が通過した場合であっても、屋根体６の内部には、中段樋構成部６１０と下段樋構成部６２０とが段差状に２段で連続して設けられており、二重の止水部を構成する。パッキン部材６０２（止水部）の部分や、屋根体側部カバー部材８の上面カバー部８１の止水凸部８１１（第１止水部）の部分や、上面シール部材８１４の部分や、連結端部止水部６８０（第２止水部）の部分を通過した水は、中段樋構成部６１０（第１の第３止水部）に流れる。中段樋構成部６１０（第１の第３止水部）から溢れた水は、下段樋構成部６２０（第２の第３止水部）に流れる。中段樋構成部６１０及び下段樋構成部６２０の２段の樋構造により、隣接する長尺形材６１の連結部分が延びる方向、即ち、長尺形材６１の長尺方向（長手方向）に沿って水を流して、止水できるため、屋根体６の下面６ｂから、水が落下することを一層抑制できる。
【０１１５】
中段樋構成部６１０（第１の第３止水部）と下段樋構成部６２０（第２の第３止水部）とに導入された水は、屋根体６の前後方向の端部に向けて流れる。前後方向の端部に向けて流れた水は、屋根体側部カバー部材８に導入される。
【０１１６】
屋根体側部カバー部材８に導入された水は、屋根体側部カバー部材８の下端部に形成される水受け流路部８２２（図９参照）（第４止水部）に受け止められて、屋根体６の傾斜に沿って、基端側の支柱２側に流される。屋根体側部カバー部材８の水受け流路部８２２において支柱２側に流された水は、屋根体６の支柱２側の基端側に流れて、屋根体６の支柱２側の基端側の端部から下方に落下する。そのため、水受け流路部８２２により、長尺形材６１の長手方向に交差する方向に水を流すことで屋根体６の基端側に水を流して、屋根体６の下面６ｂの端部でない部分から、水が落下することを抑制できる。
【０１１７】
屋根体６の支柱２側の基端側の端部から下方に落下するのと同時に、水受け流路部８２２において支柱２側に流された水の一部は、屋根体６の支柱２側の基端側の端部から、屋根体６の樋構成形材６２の基端側の下端部において下方に突出して設けられる水切りフィン６２５（図６及び図９参照）に伝わり、屋根体６の樋構成形材６２の基端側の端部において、水切りフィン６２５を介して下方に落下する。水切りフィン６２５から水を落下させることで、屋根体６の下面６ｂ側に水が回り込むことを抑制できる。これにより、屋根体６の下面６ｂの端部でない部分から、水が落下することを抑制できる。
【０１１８】
次に、カーポート１Ａ，１Ｂの屋根体６の連結構造について説明する。図１７は、本発明に係る屋根体６の連結構造を屋根体６における先端側から見た斜視図である。図１８は、図１７に示す屋根体６の連結構造において連結端部カバー部材３５０を取り外した状態を示す斜視図である。図１９は、図１８に示す屋根体６の連結構造において、連結端部カバー部材３５０を取り外した状態から、落下防止部材３４０を取り外した状態を示す斜視図である。図２０は、本発明に係る屋根体６の連結構造を屋根体６における支柱２側から見た斜視図である。図２１は、図２０に示す屋根体６の連結構造において、連結端部カバー部材３５０を取り外した状態から、落下防止部材３４０を取り外した状態を示す斜視図である。図２２は、屋根体６の連結構造を示す断面図である。図２３は、屋根体６の連結構造において、長尺形材６１同士の接続部分の長手方向の端部の止水構造を示す斜視図である。
【０１１９】
図１に示すように、隣接するカーポート１，１Ａを連結する屋根体６の連結構造は、所定方向に並んで連設される複数の長尺形材６１を有する屋根体６が隣接して配置される。屋根体６の連結構造は、隣接する屋根体６を、複数の長尺形材６１の長手方向に連結する連結部３００を備える。
【０１２０】
連結部３００は、図１７〜図２２に示すように、上部構成部３１０と、下部構成部３２０と、下部カバー部材３３０と、一対の落下防止部材３４０と、一対の連結端部カバー部材３５０と、を有する。上部構成部３１０、下部構成部３２０及び下部カバー部材３３０は、連結長手方向Ｄ１（長尺形材６１の長手方向に交差する交差方向）に延びて形成される。一対の落下防止部材３４０及び一対の連結端部カバー部材３５０は、上部構成部３１０、下部構成部３２０及び下部カバー部材３３０における連結長手方向Ｄ１（長尺形材６１の長手方向に交差する交差方向）の両端部に取り付けられている。
【０１２１】
本実施形態において、上部構成部３１０、下部構成部３２０及び下部カバー部材３３０における連結長手方向Ｄ１の両側の端部の構成は、図１７〜図１９に示すように、支柱２と反対側の先端側の端部において屋根体先端カバー部材６５が配置されており、図２０及び図２１に示すように、支柱２側の端部において樋構成形材６２の基端側上部壁６２６が立設されている。上部構成部３１０、下部構成部３２０及び下部カバー部材３３０における連結長手方向Ｄ１の両側の端部の構成について、その他の構造について同様の構造である。そのため、特に区別の必要がない構成については、区別せずに説明する。
【０１２２】
上部構成部３１０は、図２２に示すように、ホロー構造を有する中空状のアルミ形材により形成される。上部構成部３１０は、断面が方形状の中空部３１１と、一対の上部フランジ部３１２と、第１引っ掛け部としての上部側引っ掛け部３１３と、を有する。
中空部３１１は、連結長手方向Ｄ１に延びる筒状に形成され、連結幅方向Ｄ２に沿って切断した断面が、方形状に形成される。中空部３１１は、隣接する屋根体６の間に配置される。
【０１２３】
一対の上部フランジ部３１２は、中空部３１１の上端から、それぞれ、連結幅方向Ｄ２の外側の両側に向けて所定幅で略水平に突出する。一対の上部フランジ部３１２は、隣接する屋根体６における長尺形材６１の長手方向の端部の上部に配置される。各上部フランジ部３１２の下面には、下方に突出する止水凸部３１２ａ（第１止水部）と、下方に突出する２つの突き当て部３１２ｂ，３１２ｃと、が形成される。各上部フランジ部３１２の上面には、上部傾斜面３１２ｄが形成される。
【０１２４】
止水凸部３１２ａは、上部フランジ部３１２の下面において、連結幅方向Ｄ２の外側の端部の下面に配置される。止水凸部３１２ａは、連結長手方向Ｄ１に沿って配置され、連結長手方向Ｄ１の略全域に亘って延びる。止水凸部３１２ａは、複数の長尺形材６１の上面に当接する。これにより、止水凸部３１２ａは、上部フランジ部３１２と屋根体６との間に水が浸入することを抑制する止水部（第１止水部）として機能する。
【０１２５】
２つの突き当て部３１２ｂ，３１２ｃは、上部フランジ部３１２の下面から下方に突出して形成され、上部フランジ部３１２の止水凸部３１２ａよりも連結幅方向Ｄ２の内側において、連結幅方向Ｄ２に離間して配置される。突き当て部３１２ｂ，３１２ｃは、屋根体６において連結長手方向Ｄ１の略全域に亘って延びる。
【０１２６】
止水凸部３１２ａと突き当て部３１２ｂとの間には、上部フランジ部３１２の下面と長尺形材６１との間において、上面シール部材３１２ｅが配置される。上面シール部材３１２ｅは、連結幅方向Ｄ２に所定幅を有し、連結長手方向Ｄ１の略全域に亘って延びる。
【０１２７】
上部傾斜面３１２ｄは、上部フランジ部３１２の上面に形成される。上部傾斜面３１２ｄは、上部フランジ部３１２の上面において、連結幅方向Ｄ２の内側から外側に向かうにしたがって下る傾斜状に形成される。上部傾斜面３１２ｄは、屋根体６における連結長手方向Ｄ１の略全域に亘って延びる。
【０１２８】
一対の上部フランジ部３１２は、それぞれ、連結長手方向Ｄ１に離間して配置される複数のネジ部材３０１（第１ネジ部材），ネジ部材３０２（第２ネジ部材）により、屋根体６を構成する複数の長尺形材６１に固定される。屋根体６の連結構造の施工時に、ネジ部材３０１，３０２は、上部フランジ部３１２の上方から上部フランジ部３１２に向かうように移動されて、上部フランジ部３１２及び長尺形材６１を貫通することで、上部構成部３１０の上部フランジ部３１２を、屋根体６を構成する長尺形材６１に固定する。
【０１２９】
なお、一対の上部フランジ部３１２には、それぞれ、ネジ部材３０１，３０２がネジ込まれる複数のネジ孔が、連結長手方向Ｄ１に並んで設けられている。一方、カーポートの屋根体６を構成する長尺形材６１には、上部構成部３１０を固定するためのネジ孔は設けられていない。ネジ部材３０１，３０２により上部構成部３１０を複数の長尺形材６１に固定する際には、例えば、タッピングネジなどを用いることで、複数の長尺形材６１にネジ孔を形成しながら、上部構成部３１０を長尺形材６１に固定する。
【０１３０】
上部側引っ掛け部３１３は、図２２に示すように、中空部３１１の連結幅方向Ｄ２の一端の下方側に形成される。上部側引っ掛け部３１３は、中空部３１１の連結幅方向Ｄ２の一端の下部から下方に延びる上下方向延在板３１３ａと、上下方向延在板３１３ａの下端部から中空部３１１の連結幅方向Ｄ２の他端側に延びる底面板３１３ｂと、底面板３１３ｂの先端側の端部から立ち上がる立ち上がり板３１３ｃと、を有する。
【０１３１】
下部構成部３２０は、上部構成部３１０の下方に配置される。下部構成部３２０は、上部構成部３１０とは別体で構成される。下部構成部３２０は、例えば、アルミ材料により形成される。下部構成部３２０は、ネジ部材３０３（第３ネジ部材）により、上部構成部３１０の中空部３１１の下部に固定されて連結される。下部構成部３２０は、Ｕ字状部材３２１と、一対の下部フランジ部３２２と、第２引っ掛け部としての下部側引っ掛け部３２３と、を有する。
【０１３２】
Ｕ字状部材３２１は、下方が開放する逆Ｕ字状に形成され、上部構成部３１０の中空部３１１の下方に配置される。Ｕ字状部材３２１は、上面板３２１ａと、一対の側面板３２１ｂと、を有する。Ｕ字状部材３２１の上面板３２１ａは、連結長手方向Ｄ１に離間して配置される複数のネジ部材３０３により、上部構成部３１０の中空部３１１の上面板３１１ａに固定される。屋根体６の連結構造の施工時に、ネジ部材３０３は、下部構成部３２０の下方から下部構成部３２０に向かうように移動されて、下部構成部３２０のＵ字状部材３２１及び上部構成部３１０の中空部３１１の下面板３１１ｂを貫通することで、下部構成部３２０を上部構成部３１０に固定する。
【０１３３】
Ｕ字状部材３２１の一対の側面板３２１ｂのそれぞれの高さ方向の途中には、水平方向の内側に突出する一対の嵌合突起３２１ｃが形成される。一対の嵌合突起３２１ｃには、後述する下部カバー部材３３０の一対の延出部３３２の凹状嵌合部３３２ａが嵌合される。
【０１３４】
一対の下部フランジ部３２２は、Ｕ字状部材３２１の下端から、それぞれ、連結幅方向Ｄ２の外側の両側に向けて所定幅で略水平に突出する。一対の下部フランジ部３２２は、隣接する屋根体６における長尺形材６１の長手方向の端部の下部に配置される。各下部フランジ部３２２の外側の端部の上面には、上方に突出すると共に長尺形材６１の下面に当接する支持凸部３２２ａが形成される。これにより、一対の下部フランジ部３２２は、支持凸部３２２ａが長尺形材６１の下面に当接した状態で、屋根体６を構成する複数の長尺形材６１の長手方向の端部を下方から支持する。一対の下部フランジ部３２２により、隣接する屋根体６の端部を下方から支持することができるため、屋根体６の端部が下方側に撓むことを抑制できる。
【０１３５】
下部フランジ部３２２の上面、側面板３２１ｂの外側面、及び支持凸部３２２ａの内側面により、水を連結長手方向Ｄ１に導く下部水受け流路部３６０（第４止水部）が構成される。下部水受け流路部３６０は、連結長手方向Ｄ１に延びると共に、樋構成止水部６１０，６２０（第３止水部）から導出された水を受け止める。
【０１３６】
下部側引っ掛け部３２３は、上部構成部３１０の上部側引っ掛け部３１３に引っ掛けることが可能に構成される。下部側引っ掛け部３２３は、図２２に示すように、Ｕ字状部材３２１の連結幅方向Ｄ２の一端の上方側に形成される。下部側引っ掛け部３２３は、Ｕ字状部材３２１の上面板部材の上端から連結幅方向Ｄ２の一方側に延びる延出上面板３２３ａと、延出上面板３２３ａの先端から立ち下がる立下り板３２３ｂと、を有する。
【０１３７】
以上のように構成される上部構成部３１０及び下部構成部３２０は、一対の上部フランジ部３１２と一対の下部フランジ部３２２とにより側方に開放する凹状の飲み込み部３００ａを備える。これにより、隣接するカーポート１Ａ，１Ｂを連結する場合に、一対の上部フランジ部３１２及び一対の下部フランジ部３２２を有して構成される側方に開放する凹状の飲み込み部３００ａに、屋根体６の端部を配置することで、一対の上部フランジ部３１２と下部フランジ部３２２は、隣接する屋根体６の端部を、上下から挟み込む。
【０１３８】
下部カバー部材３３０は、図２２に示すように、上部構成部３１０に取り付けられた下部構成部３２０の下方に配置される。下部カバー部材３３０は、上部構成部３１０に取り付けられた下部構成部３２０を下方から覆うと共に、下部構成部３２０を上部構成部３１０に固定するためにねじ込まれたネジ部材３０３の頭部を下方から覆う。下部カバー部材３３０は、例えば、アルミ材料により形成される。
【０１３９】
下部カバー部材３３０は、略水平に形成される平面状の下部カバー本体３３１と、一対の延出部３３２と、一対の端部立ち上がり部３３３と、を有する。下部カバー本体３３１、一対の延出部３３２、及び一対の端部立ち上がり部３３３は、連結長手方向Ｄ１に延びる。
【０１４０】
一対の延出部３３２は、下部カバー本体３３１の上面の中央部分において、連結幅方向Ｄ２に離間して配置され、上方に延出する。一対の延出部３３２は、下部カバー部材３３０が下部構成部３２０に取り付けられた場合に、Ｕ字状部材３２１の側面板３２１ｂの内面に沿って、下部構成部３２０のＵ字状部材３２１の内部に挿入される。
【０１４１】
延出部３３２には、凹状嵌合部３３２ａと、一対の内側突出部３３２ｂと、が形成される。
一対の内側突出部３３２ｂは、延出部３３２の高さ方向の途中において、延出部３３２の内面から内側に略水平に突出する。
凹状嵌合部３３２ａは、延出部３３２の高さ方向の途中において、延出部３３２の外面から内側に窪む。一対の凹状嵌合部３３２ａには、下部構成部３２０の一対の嵌合突起３２１ｃが嵌合される。
一対の端部立ち上がり部３３３は、下部カバー本体３３１における連結幅方向Ｄ２の両側の端部から上方に突出する。
【０１４２】
以上の下部カバー部材３３０は、一対の延出部３３２の凹状嵌合部３３２ａが下部構成部３２０の一対の嵌合突起３２１ｃに嵌合することで、下部構成部３２０及びネジ部材３０３を下方から覆うように、下部構成部３２０に取付けられる。
【０１４３】
落下防止部材３４０は、図１８に示すように、連結長手方向Ｄ１の両端部において、下部カバー部材３３０の落下を防止するように、上部構成部３１０と下部カバー部材３３０とを連結する。落下防止部材３４０は、例えば、金属材料により形成される。
【０１４４】
落下防止部材３４０は、図１９に示すように、断面視が略Ｃ字形状に形成される。落下防止部材３４０は、上下方向に延びる上下部材３４１と、上下部材３４１の上端部から略水平に延びる上部板部材３４２と、上下部材３４１の下端部から略水平に延びる下部板部材３４３と、を有する。
【０１４５】
落下防止部材３４０の上部板部材３４２は、上部構成部３１０の中空部３１１の上面板３１１ａの下方に配置され、ネジ部材３０４（図１８参照）により、後述する連結端部カバー部材３５０と共に、上部構成部３１０に固定される。落下防止部材３４０の下部板部材３４３は、下部カバー部材３３０における下部カバー本体３３１の上面と一対の内側突出部３３２ｂとの間に配置される。これにより、落下防止部材３４０は、下部カバー部材３３０が、上部構成部３１０から落下することを防止できる。
【０１４６】
一対の連結端部カバー部材３５０は、図１８に示すように、上部構成部３１０及び下部構成部３２０の連結長手方向Ｄ１の両端部において、落下防止部材３４０が取り付けられた部分を覆うように取り付けられる。連結端部カバー部材３５０は、例えば、樹脂材料で形成される。一対の連結端部カバー部材３５０は、それぞれ、上下方向に延びる端面カバー部３５１と、上面板部３５２と、下部係止部３５３と、を有する。
【０１４７】
端面カバー部３５１は、上部構成部３１０及び下部構成部３２０の連結長手方向Ｄ１の端部及び落下防止部材３４０を覆うように取り付けられる。
上面板部３５２は、板状に形成され、端面カバー部３５１の上端から屋根体６側に略水平に延びる。
【０１４８】
上面板部３５２は、取付ネジ穴３５２ａと、一対のネジ逃げ長穴３５２ｂと、を有する。
取付ネジ穴３５２ａには、ネジ部材３０４（第４ネジ部材）がネジ込まれる。ネジ部材３０４は、連結端部カバー部材３５０の取付ネジ穴３５２ａ、上部構成部３１０、及び落下防止部材３４０の上部板部材３４２を貫通して固定する。
一対のネジ逃げ長穴３５２ｂは、屋根体６における連結長手方向Ｄ１の先端の端部側においてネジ止めされたネジ部材３０１，３０２の頭部を避けるように長穴状に開口する。
【０１４９】
下部係止部３５３は、端面カバー部３５１の下端の屋根体６側に形成される。下部係止部３５３は、上方が開放するフック状に形成される。下部係止部３５３は、屋根体先端カバー部材６５の下端部に引っ掛けられて係止される。
【０１５０】
次に、屋根体６の連結構造の止水構造について説明する。
屋根体６の連結構造における止水構造は、図２２及び図２３に示すように、止水凸部３１２ａ（第１止水部）と、上面シール部材３１２ｅと、連結端部止水部６８０（第２止水部）と、樋構成止水部６１０，６２０（第３止水部）と、下部水受け流路部３６０（第４止水部）と、を備える。
【０１５１】
止水凸部３１２ａは、図２２に示すように、屋根体６の連結構造の連結部３００の上部構成部３１０と屋根体６を構成する複数の長尺形材６１との間に水が浸入することを抑制する。止水凸部３１２ａは、屋根体６連結構造の連結部３００の上部構成部３１０の上部フランジ部３１２の下面に形成され、連結長手方向Ｄ１に延びて配置される。止水凸部３１２ａは、止水部（第１止水部）として機能する。止水凸部３１２ａは、上部構成部３１０が複数の長尺形材６１の上面に配置された場合に、屋根体６を構成する複数の長尺形材６１の上面に当接する。これにより、止水凸部３１２ａは、屋根体６の連結構造において、屋根体６の上面と上部構成部３１０の上部フランジ部３１２の下面の間を連結長手方向Ｄ１に沿って止水する。
【０１５２】
上面シール部材３１２ｅは、上部構成部３１０の上部フランジ部３１２の止水凸部３１２ａよりも内側において、屋根体６を構成する複数の長尺形材６１の上面と上部フランジ部３１２の下面との間に配置される。上面シール部材３１２ｅは、連結長手方向Ｄ１に延びて配置される。上面シール部材３１２ｅは、止水部として機能する。これにより、上面シール部材３１２ｅは、屋根体６の連結構造において、屋根体６の上面と上部構成部３１０の上部フランジ部３１２の下面の間を連結長手方向Ｄ１に沿って止水する。
【０１５３】
連結端部止水部６８０（第２止水部）は、図２３に示すように、屋根体６の連結構造の連結部３００が配置される側の長尺形材６１の長手方向の端部において、屋根体６における隣接する長尺形材６１の連結部分に配置される。なお、連結端部止水部６８０（止水部）の構成は、屋根体６の連結構造が設けられる部分に備えられるが、前述した長尺形材６１の長手方向の端部側で止水する構成と同様の構成である。そのため、同様の構成については、同じ符号を付けて説明する。
【０１５４】
連結端部止水部６８０は、屋根体６の連結構造の連結部３００が設けられる構成において、パッキン部材６０２が配置される隣接する長尺形材６１の連結部分における長尺形材６１の長手方向の端部において止水する止水部（第２止水部）として機能する。
【０１５５】
連結端部止水部６８０は、図２３に示すように、隣接する長尺形材６１の間に配置されるパッキン部材６０２と、パッキン部材６０２を外部に露出するように長尺形材６１の端部において切り欠かれて形成される切欠部６３７ｆ（６２７ｆ）と、切欠部６３７ｆ（６２７ｆ）に配置される湿式シール部材６０３と、を備える。
【０１５６】
パッキン部材６０２は、隣接する長尺形材６１の連結部分において、隣接する長尺形材６１の間に、長尺形材６１の長手方向に延びて配置される。
切欠部６３７ｆ（６２７ｆ）は、パッキン部材６０２が配置される上方に形成される。切欠部６３７ｆ（６２７ｆ）は、長尺形材６１の上面における支柱２とは反対側の端部において、長尺形材６１の長手方向に直交する方向の所定幅で、長尺形材６１における長手方向の連結部３００側の端部から、長尺形材６１の長手方向に沿って所定長さ切り欠かれたポケット状に形成される。
【０１５７】
切欠部６３７ｆ（６２７ｆ）には、屋根体６の連結構造の施工時に、湿式シール部材６０３が塗工される。切欠部６３７ｆ（６２７ｆ）は、湿式シール部材６０３が塗工されない状態においては、長尺形材６１同士の接続部分において止水するパッキン部材６０２の長手方向の端部が外部に露出するように切り欠かれている。切欠部６３７ｆ（６２７ｆ）には、屋根体６の連結構造の施工時に、露出されたパッキン部材６０２を覆うように、湿式シール部材６０３が塗工される。これにより、屋根体６の連結構造の連結部３００において、長尺形材６１同士の接続部分を伝わる水を端部側において止水することができる。
【０１５８】
樋構成止水部６１０，６２０は、連結端部止水部６８０（第２止水部）を通過した水を受けとめる止水部（第３止水部）として機能する。樋構成止水部６１０，６２０は、長尺形材６１の樋構造により構成される。樋構成止水部６１０，６２０の構成は、前述と同様であるため、その説明を省略する。
【０１５９】
下部水受け流路部３６０は、連結部３００において、側面板３２１ｂの外側面、下部構成部３２０の下部フランジ部３２２の上面及び支持凸部３２２ａの内側面により構成される。下部水受け流路部３６０は、下部構成部３２０が延びる連結長手方向Ｄ１に延びる。下部水受け流路部３６０は、樋構成止水部６１０，６２０から導出された水を、受け止める止水部（第４止水部）として機能する。下部水受け流路部３６０は、受け止めた水を、連結長手方向Ｄ１の支柱２側の端部に導く。
【０１６０】
次に、カーポート１の屋根体６の連結構造における雨水の流れについて説明する。
屋根体６の上面６ａに降り注いだ雨水は、隣接するカーポート１Ａ，１Ｂの屋根体６の連結構造においては、図２２に示すように、上部構成部３１０の上部フランジ部３１２の下面に形成される止水凸部３１２ａ（第１止水部）及び上部フランジ部３１２と長尺形材６１との間に配置される上面シール部材３１２ｅにより、連結長手方向Ｄ１に沿って止水されている。そのため、連結部３００の上部構成部３１０と屋根体６との間に水が入ることが抑制されて、屋根体６の上面６ａの傾斜に沿って連結長手方向Ｄ１の支柱２側に流れる。支柱２側に流れた水は、屋根体側樋構成部６０に流入して、屋根体側樋構成部６０の導出開口６２２ａに接続された誘導部材７を介して、支柱２と支柱カバー部材３との間の支柱側樋構成部２０に流入する。支柱側樋構成部２０に流入した水は、支柱側樋構成部２０を地面１１側に落下して、排水受け蓋部材２４に受け止められて、地面１１の付近に配置される排出開口２４ａから、支柱２の外部に排出される。
【０１６１】
また、長尺形材６１同士の接続部分には、図６及び図７に示すように、パッキン部材６０２が配置されている。そのため、屋根体６の上面６ａを流れる水を、長尺形材６１同士の接続部分において、パッキン部材６０２で止水できる。これにより、屋根体６の上面６ａを流れる水をパッキン部材６０２により止水して、屋根体６の下面６ｂから、水が落下することを抑制できる。
【０１６２】
更に、屋根体６を構成する複数の長尺形材６１の連結部３００側の端部において、隣接する長尺形材６１の間には、連結端部止水部６８０（第２止水部）（シールポケット）が形成される。連結端部止水部６８０（第２止水部）は、長尺形材６１の端部において形成される切欠部６３７ｆと、隣接する長尺形材６１の間に配置されるパッキン部材６０２と、長尺形材６１の端部において切り欠かれて形成される切欠部６３７ｆと、湿式シール部材６０３と、により構成される。湿式シール部材６０３は、パッキン部材６０２を覆うように切欠部６３７ｆに配置される。これにより、連結端部止水部６８０（第２止水部）は、屋根体６の連結構造の連結部３００において、長尺形材６１同士の接続部分を伝わる水を端部側において止水することができる。
【０１６３】
また、上部構成部３１０の上部フランジ部３１２の下面に形成される止水凸部３１２ａ（第１止水部）の部分や上面シール部材３１２ｅや連結端部止水部６８０（第２止水部）の部分を水が通過した場合であっても、屋根体６の内部には、中段樋構成部６１０と下段樋構成部６２０とが段差状に２段で連続して設けられており、二重の止水部を構成する。止水凸部３１２ａ（第１止水部）の部分や連結端部止水部６８０（第２止水部）の部分を通過した水は、中段樋構成部６１０（第１の第３止水部）に流れる。中段樋構成部６１０（第１の第３止水部）から溢れた水は、下段樋構成部６２０（第２の第３止水部）に流れる。中段樋構成部６１０及び下段樋構成部６２０の２段の樋構造により、隣接する長尺形材６１の連結部分が延びる方向、即ち、長尺形材６１の長尺方向に沿って水を流して、止水できるため、屋根体６の下面６ｂから、水が落下することを一層抑制できる。
【０１６４】
中段樋構成部６１０（第１の第３止水部）と下段樋構成部６２０（第２の第３止水部）とに導入された水は、連結部３００における下部構成部３２０の下部水受け流路部３６０（第４止水部）に落下して、下部水受け流路部３６０（第４止水部）に受け止められて、屋根体６の傾斜に沿って、支柱２側の端部側に流される。これにより、前述のカーポート１の止水構造と同様に、屋根体６の支柱２側の基端側の端部から下方に落下する。屋根体６の支柱２側の基端側の端部から下方に落下するのと同時に、水受け流路部８２２において支柱２側に流された水の一部は、屋根体６の支柱２側の基端側の端部から、屋根体６の樋構成形材６２の基端側の下端部において下方に突出して設けられる水切りフィン６２５（図６及び図９参照）に伝わり、屋根体６の樋構成形材６２の基端側の端部において、水切りフィン６２５を介して下方に落下する。これにより、屋根体６の下面６ｂの端部でない部分から、水が落下することを抑制できる。
【０１６５】
次に、カーポート１の屋根体６の連結構造の施工方法について説明する。図２４は、屋根体の連結構造の施工手順を示す図であって、一方の屋根体６に上部構成部３１０を取り付ける手順を示す斜視図である。図２５は、屋根体６の連結構造の施工手順を示す図であって、一方の屋根体６に上部構成部３１０を取り付けた状態において、他方の屋根体６の長尺形材６１を取り付ける手順を示す斜視図である。図２６は、屋根体６の連結構造の施工手順を示す図であって、上部構成部３１０の下方に下部構成部３２０を取り付け、その後、下部構成部３２０の下方に下部カバー部材３３０を取り付ける手順を示す斜視図である。図２７は、屋根体６の連結構造の施工手順を示す図であって、上部構成部３１０及び下部構成部３２０の連結長手方向Ｄ１の端部に落下防止部材３４０を取り付け、その後、連結端部カバー部材３５０を取り付ける手順を示す斜視図である。
【０１６６】
本実施形態に係るカーポート１の屋根体６の連結構造を用いて、例えば、２つのカーポート１Ａ，１Ｂの屋根体６を長尺形材６１が延びる長手方向に並べて配置する場合について説明する。
【０１６７】
まず、隣接するカーポート１Ａ，１Ｂのうち一方側（例えば、図１における右側）に配置されるカーポート１Ａを設置する。
【０１６８】
次に、図２４に示すように、屋根体６の連結構造における連結部３００における上部構成部３１０を、一方側のカーポート１Ａに配置して、一方側のカーポート１Ａの屋根体６に固定する。具体的には、一方側のカーポート１Ａの屋根体６が設置された状態で、上部構成部３１０の一方の上部フランジ部３１２を一方側のカーポート１Ａの屋根体６の上部に配置する（連結部配置工程）。
【０１６９】
続けて、図２４に示すように、上部構成部３１０の一方の上部フランジ部３１２の上方からネジ部材（第１ネジ部材）３０１を移動させて、ネジ部材３０１により一方の上部フランジ部３１２を一方の屋根体６に固定することで、上部構成部３１０を一方の屋根体６に固定する（上部構成部第１固定工程）。具体的には、ネジ部材３０１を、上部構成部３１０の一方の上部フランジ部３１２の上方から一方の上部フランジ部３１２に移動させて、ネジ部材３０１により、上部構成部３１０を複数の長尺形材６１に固定する。
【０１７０】
なお、上部構成部３１０の一方の上部フランジ部３１２には、連結長手方向Ｄ１に並んで複数のネジ孔が設けられている。一方、カーポートの屋根体６を構成する長尺形材６１には、上部構成部３１０を固定するためのネジ孔は設けられていない。ネジ部材３０１により上部構成部３１０を複数の長尺形材６１に固定する際には、例えば、タッピングネジなどを用いることで、複数の長尺形材６１にネジ孔を形成しながら、上部構成部３１０を長尺形材６１に固定する。これにより、長尺形材６１におけるネジ止めする位置を長手方向にある程度移動できるため、長尺形材６１の長手方向の位置がずれたとしても、上部構成部３１０を長尺形材６１に固定できる。
【０１７１】
次に、図２５に示すように、他方のカーポート１Ｂの屋根体６における複数の長尺形材６１を、上部構成部３１０における他方の上部フランジ部３１２の下部に配置する（長尺材配置工程）。具体的には、複数の長尺形材６１を梁４に取り付けるだけで、他方のカーポート１Ｂの屋根体６における複数の長尺形材６１の端部が、上部構成部３１０における他方の上部フランジ部３１２の下部に配置されるように位置が調整されている。そのため、他方のカーポート１Ｂの屋根体６を構成する長尺形材６１を梁４に取り付けるだけで、他方のカーポート１Ｂの屋根体６における複数の長尺形材６１を他方の上部フランジ部３１２の下部に配置することができる。なお、複数の長尺形材６１を梁４に取り付ける場合には、前述のカーポート１の施工方法のように、複数の長尺形材６１を支柱２側から順に取り付ける。そして、複数の長尺形材６１を梁４に取り付ける際に、図１６に示すように、支柱２側から順に、長尺形材６１を隣接する長尺形材６１に引っ掛けて回転させて、長尺形材６１を梁４に取り付ける。
【０１７２】
続けて、上部構成部３１０における他方の上部フランジ部３１２の上方からネジ部材３０２を移動させて、他方の上部フランジ部３１２の下部に配置した長尺形材６１を、他方の上部フランジ部３１２にネジ部材３０２により固定する。これにより、上部構成部３１０に他方の屋根体６を固定する（上部構成部第２固定工程）。具体的には、上部構成部３１０における他方の上部フランジ部３１２の下部に数枚（例えば２〜３枚）の長尺形材６１を配置した後に、ネジ部材３０２を、上部構成部３１０の他方の上部フランジ部３１２の上方から上部フランジ部３１２に移動させて、ネジ部材３０２により、上部構成部３１０を複数の長尺形材６１に固定する。これらの作業を繰り返して行うことで、複数の長尺形材６１を上部構成部３１０の他方の上部フランジ部３１２の下部に固定する。
【０１７３】
なお、上部構成部３１０の他方の上部フランジ部３１２には、連結長手方向Ｄ１に並んで複数のネジ孔が設けられている。一方、カーポートの屋根体６を構成する長尺形材６１には、上部構成部３１０を固定するためのネジ孔は設けられていない。ネジ部材３０２により上部構成部３１０を複数の長尺形材６１に固定する際には、例えば、タッピングネジなどを用いることで、複数の長尺形材６１にネジ孔を形成しながら、上部構成部３１０を長尺形材６１に固定する。これにより、長尺形材６１におけるネジ止めする位置を長手方向にある程度移動できるため、長尺形材６１の長手方向の位置がずれたとしても、上部構成部３１０を長尺形材６１に固定できる。
【０１７４】
次に、下部構成部３２０を上部構成部３１０に固定する作業の前作業として、上部構成部３１０の下方側に形成される上部側引っ掛け部３１３に、下部構成部３２０の上方側に形成される下部側引っ掛け部３２３を引っ掛けて仮置きする（仮置き工程）。これにより、下部構成部３２０を上部構成部３１０に連結する前に、下部構成部３２０の下部側引っ掛け部３２３を上部構成部３１０の上部側引っ掛け部３１３に引っ掛けることで、下部構成部３２０を上部構成部３１０に仮置きできる。そのため、下部構成部３２０を上部構成部３１０に仮置きし、その後、引っ掛けた部分の反対側を手で持ち上げながらネジ部材３０３によるネジ止めが可能となるため、作業が容易となり、例えば一人での作業が容易となる。
【０１７５】
続けて、上部構成部３１０の下方に下部構成部３２０を配置して、下部構成部３２０をネジ部材３０３により上部構成部３１０に固定する（下部構成部固定工程）。具体的には、ネジ部材３０３を、下部構成部３２０の下方から下部構成部３２０に移動させて、ネジ部材３０３により、下部構成部３２０の下部に、上部構成部３１０を固定する。これにより、上部構成部３１０の上部フランジ部３１２及び下部構成部３２０の下部フランジ部３２２により、屋根体６を構成する複数の長尺形材６１の長手方向の端部を上下で挟み込んで固定できる。
【０１７６】
続けて、下部構成部３２０及びネジ部材３０３を下方から覆うように、図２６に示すように、下部構成部３２０の下方に、下部カバー部材３３０を取り付ける。具体的には、下部構成部３２０の一対の嵌合突起３２１ｃに、下部カバー部材３３０の一対の延出部３３２の凹状嵌合部３３２ａを嵌合させる。これにより、下部カバー部材３３０を下部構成部３２０に簡単に取り付けることができ、かつ、下部構成部３２０及びネジ部材３０３が外部から視認できないように覆うことができる。
【０１７７】
次に、上部構成部３１０及び下部構成部３２０の連結長手方向Ｄ１の端部に、落下防止部材３４０を取り付ける。具体的には、落下防止部材３４０の下部板部材３４３を下部カバー部材３３０における下部カバー本体３３１の上面と一対の内側突出部３３２ｂとの間に挿入すると共に、落下防止部材３４０の上部板部材３４２を上部構成部３１０の中空部３１１の上面板３１１ａの下側に挿入する。後述するように、落下防止部材３４０の上部板部材３４２は、上部構成部３１０の中空部３１１の上面板３１１ａに、ネジ部材３０４により固定される。これにより、下部構成部３２０に嵌合により取り付けられている下部カバー部材３３０の落下を防止できる。
【０１７８】
続けて、落下防止部材３４０を側方から覆うように、図２７に示すように、屋根体６の傾斜方向の先端側において、連結長手方向Ｄ１の外側から、連結端部カバー部材３５０を取り付ける。また、図２１に示すように、屋根体６の支柱２側において、連結長手方向Ｄ１の外側から、連結端部カバー部材３５０を取り付ける。これにより、連結部３００の連結長手方向Ｄ１の両端部を連結端部カバー部材３５０で覆うことで、意匠性を向上できる。
【０１７９】
そして、連結端部カバー部材３５０の上面板部３５２及び落下防止部材３４０の上部板部材３４２を、上部構成部３１０の中空部３１１の上面板３１１ａに、ネジ部材３０４により固定する。これにより、連結長手方向Ｄ１の端部において、落下防止部材３４０を、上部構成部３１０と下部カバー部材３３０とを連結するように固定すると共に、連結端部カバー部材３５０を固定する。
【０１８０】
以上のように構成される屋根体６の連結構造においては、上部フランジ部３１２及び下部フランジ部３２２は、隣接する屋根体６の端部を上下から挟み込む。そのため、屋根体６の端部を上下から挟み込むことで、隣接する屋根体６を安定して連結できる。また、隣接する屋根体６を連結する連結構造を、屋根体６の端部を上下から挟み込むだけの簡易な構成で実現でき、かつ、簡単に施工できる。
【０１８１】
また、一方の屋根体６を設置した後に、上部構成部３１０を一方の屋根体６に固定し、その後、他方の屋根体６を上部構成部３１９に固定する。そのため、２つの屋根体６を設置した後に、２つの屋根体６の間に上部構成部３１０を設置しなくてもよく、屋根体６の上に乗って作業しなくてよい。即ち、一方の屋根体６を設置した後に、他方の屋根体６を施工するのと同時に、他方の屋根体６の長尺形材６１を固定することできるため、屋根体６の上に乗って作業しなくてもよく、屋根体６の連結構造の作業性を向上できる。
【０１８２】
以上説明した本実施形態のカーポート１の屋根体６の連結構造によれば、以下のような効果を奏する。
本実施形態のカーポート１の屋根体６の連結構造においては、連結部３００は、連結長手方向Ｄ１に延びて形成されており、隣接する屋根体６の上部に配置される一対の上部フランジ部３１２を含んで構成される上部構成部３１０と、隣接する屋根体６の下部に配置される一対の下部フランジ部３２２を含んで構成される下部構成部３２０と、を有して構成され側方に開放する凹状の飲み込み部３００ａを備え、上部フランジ部３１２及び下部フランジ部３２２は、隣接する屋根体６の端部を上下から挟み込む。そのため、屋根体６の端部を上下から挟み込むことで、隣接する屋根体６を安定して連結できる。また、上部構成部３１０と下部構成部３２０とで、屋根体６の端部を上下から挟み込むだけの簡易な構造であるため、隣接する屋根体６を連結する連結構造を、簡易な構成で実現でき、かつ、簡単に施工できる。
【０１８３】
また、本実施形態では、上部構成部３１０と下部構成部３２０とは、別体で構成されると共に、上下方向に連結される。そのため、上部構成部３１０及び下部構成部３２０を別々に設置できるため、取り扱いが容易で、簡単に施工できる。また、上部構成部３１０と下部構成部３２０とで、屋根体６の端部を上下から挟み込む構成を簡単に実現できる。
【０１８４】
また、本実施形態では、上部構成部３１０は、下方側に形成される上部側引っ掛け部３１３を有し、下部構成部３２０は、上方側に形成され上部側引っ掛け部３１３に引っ掛けることが可能な下部側引っ掛け部３２３を有する。そのため、上部構成部３１０及び下部構成部３２０を上下方向に連結する場合に、上部構成部３１０の上部側引っ掛け部３１３に、下部構成部３２０の下部側引っ掛け部３２３を引っ掛けて仮置きすることが可能である。これにより、簡単に、上部構成部３１０に下部構成部３２０を連結することができる。
【０１８５】
また、本実施形態では、上部構成部３１０及び下部構成部３２０を連結した状態で、下部構成部３２０を下方から覆うように下部構成部３２０に嵌合により取り付けられる下部カバー部材３３０と、連結長手方向Ｄ１の端部において下部カバー部材３３０を上部構成部３１０又は下部構成部３２０に連結する落下防止部材３４０と、を備える。そのため、落下防止部材３４０により、下部カバー部材３３０の落下を防止できる。
【０１８６】
また、本実施形態の屋根体６の連結構造の施工方法においては、隣接する屋根体６のうちの一方の屋根体６が設置された状態で、一方の上部フランジ部３１２を一方の屋根体６の上部に配置する連結部配置工程と、連結部配置工程の後の工程であって、一方の上部フランジ部３１２の上方からネジ部材３０１を移動させて、ネジ部材３０１により一方の上部フランジ部３１２を一方の屋根体６に固定することで、上部構成部３１０を一方の屋根体６に固定する上部構成部第１固定工程と、上部構成部第１固定工程の後の工程であって、隣接する屋根体６のうちの他方の屋根体６における複数の長尺形材６１を他方の上部フランジ部３１２の下部に配置する長尺材配置工程と、他方の上部フランジ部３１２の上方からネジ部材３０２を移動させて、第２ネジ部材３０２により長尺材配置工程で配置した長尺形材６１を上部フランジ部３１２に固定することで、上部構成部３１０に他方の屋根体６を固定する上部構成部第２固定工程と、を備える。そのため、一方の屋根体６を設置した後に、上部構成部３１０を一方の屋根体６に固定し、その後、他方の屋根体６を上部構成部３１９に固定する。よって、２つの屋根体６を設置した後に、２つの屋根体６の間に上部構成部３１０を設置するものではない。従って、屋根体６の上に乗って作業しなくてもよく、作業性を向上できる。
【０１８７】
また、本実施形態の屋根体６の連結構造の施工方法においては、上部構成部第２固定工程の後の工程であって、上部構成部３１０の下方に本実施形態を配置して、下部構成部３２０をネジ部材３０３により上部構成部３１０に固定する。これにより、ネジ部材３０３により、上部構成部３１０に、下部構成部３２０を簡単に固定できる。
【０１８８】
また、本実施形態の屋根体６の連結構造の施工方法においては、下部構成部固定工程の前の工程であって、上部構成部３１０の下方側に形成される上部側引っ掛け部３１３に、下部構成部３２０の上方側に形成される下部側引っ掛け部３２３を引っ掛けて仮置きする仮置き工程を更に備える。そのため、上部構成部３１０及び下部構成部３２０を上下方向に連結する前に、上部構成部３１０の上部側引っ掛け部３１３に、下部構成部３２０の下部側引っ掛け部３２３を引っ掛けて仮置きすることが可能である。これにより、上部構成部３１０に下部構成部３２０を連結する作業性を向上できる。
【０１８９】
以上、本発明の屋根体の連結構造の好ましい一実施形態について説明したが、本発明は、上述した実施形態に制限されるものではなく、適宜変更が可能である。
例えば、前記実施形態では、屋根体６の連結構造の連結部３００について、上部構成部３１０及び下部構成部３２０を別体で構成したが、これに限定されない。上部構成部３１０及び下部構成部３２０を一体で構成してもよい。この場合には、上部構成部３１０及び下部構成部３２０の強度を高くできる。そのため、隣接する屋根体６を強固に連結できる。
【０１９０】
また、前記実施形態では、屋根体６の連結構造の施工方法において、上部構成部３１０を屋根体６に固定した後に、上部構成部３１０に下部構成部３２０を連結したが、これに限定されない。例えば、上部構成部３１０及び下部構成部３２０を一体化させるように、上部構成部３１０及び下部構成部３２０をネジ部材（第４ネジ部材）で仮固定する仮固定工程を行った後に、仮固定工程で仮固した上部構成部３１０及び下部構成部３２０を屋根体６に固定して、その後、仮固定された上部構成部３１０及び下部構成部３２０をネジ部材（第４ネジ部材）のネジ込み量を調整することで本固定する本固定工程を行うように構成してもよい。これにより、下部構成部３２０を上部構成部３１０に取り付ける作業性を向上できる。なお、この場合、上部構成部３１０及び下部構成部３２０を一体化させた状態で屋根体６に固定するため、前記実施形態のように、上部構成部３１０の上部側引っ掛け部３１３に、下部構成部３２０の下部側引っ掛け部３２３を引っ掛けて仮置きすることは不要となる。
【符号の説明】
【０１９１】
６  屋根体
６１  長尺形材（長尺材）
３００  連結部
３００ａ  飲み込み部
３０１  ネジ部材（第１ネジ部材）
３０２  ネジ部材（第２ネジ部材）
３０３  ネジ部材（第３ネジ部材）
３０４  ネジ部材（第４ネジ部材）
３１０  上部構成部
３１２  上部フランジ部
３２０  下部構成部
３２２  下部フランジ部
３１３  上部側引っ掛け部（第１引っ掛け部）
３２３  下部側引っ掛け部（第２引っ掛け部）
３３０  下部カバー部材
３４０  落下防止部材
Ｄ１  連結長手方向（交差方向）
【図１】
2019007208.tif 000003
【図２】
2019007208.tif 000004
【図３】
2019007208.tif 000005
【図４】
2019007208.tif 000006
【図５】
2019007208.tif 000007
【図６】
2019007208.tif 000008
【図７】
2019007208.tif 000009
【図８】
2019007208.tif 000010
【図９】
2019007208.tif 000011
【図１０】
2019007208.tif 000012
【図１１】
2019007208.tif 000013
【図１２】
2019007208.tif 000014
【図１３】
2019007208.tif 000015
【図１４】
2019007208.tif 000016
【図１５】
2019007208.tif 000017
【図１６】
2019007208.tif 000018
【図１７】
2019007208.tif 000019
【図１８】
2019007208.tif 000020
【図１９】
2019007208.tif 000021
【図２０】
2019007208.tif 000022
【図２１】
2019007208.tif 000023
【図２２】
2019007208.tif 000024
【図２３】
2019007208.tif 000025
【図２４】
2019007208.tif 000026
【図２５】
2019007208.tif 000027
【図２６】
2019007208.tif 000028
【図２７】
2019007208.tif 000029